(57)【要約】【課題】店舗先でのショッピングまたはオンラインショッピングでクレジット情報およびクレジットの暗証番号を先方に知られないことにある。【解決手段】店舗端末４は、取引情報を携帯端末２に送信する手段を有し、携帯端末２は、ＵＩＭカード１にクレジット決済サービスの登録番号を含む情報を予め登録し、店舗での取引時に，店舗端末４から受信した取引情報とＵＩＭカード１内の登録番号と電話番号とをサーバ３に送信し、キー入力した暗証番号をサーバ３に返信する手段を有し、サーバ３は、登録番号毎に暗証番号と電話番号とクレジット番号とを含む情報をＤＢ３４に予め登録し、取引情報と登録番号と電話番号とを携帯端末２から受信すると登録番号および電話番号のチェックを行い、更に携帯端末２からキー入力された暗証番号の認証を行い、取引情報を基にＤＢ３４に登録のクレジット番号による取引の決済を行う手段を有している。【選択図】      図１
2004199269.tif 000002
【特許請求の範囲】
【請求項１】
ユーザの携帯端末を用いて取引利用時のクレジットの決済を行う携帯端末によるクレジット決済システムであって、
前記携帯端末とクレジット決済サービスを行うサーバとを接続する第１の通信手段と、
前記サーバと前記店舗端末とを接続する第２の通信手段と、
前記携帯端末とレジで取引情報を入力する店舗端末とを接続する第３の通信手段と、を備え、
前記店舗端末は、ユーザとの取引情報を前記携帯端末に送信する第１の送信手段と、
前記サーバから完了通知を受信すると利用明細を出力する出力手段と、を有し、前記携帯端末は、自端末内にクレジット会社毎にクレジット決済サービスを契約したカード会社の第１の登録番号を含むカード会社情報を予め登録する第１の登録手段と、
店舗での取引時に，前記第１の送信手段により前記店舗端末から受信した前記取引情報と前記第１の登録手段で登録されている前記第１の登録番号と自端末の第１の電話番号とを前記サーバに送信する第２の送信手段と、
前記第２の送信手段に対する前記サーバからの要求によりキー入力された第１の暗証番号を前記サーバに返信する返信手段と、を有し、
前記サーバは、クレジット決済サービスを契約したユーザの第２の登録番号毎に第２の暗証番号と第２の電話番号とクレジット番号とを含むユーザ情報を予め登録した第２の登録手段と、
店舗での取引時に前記第２の送信手段により前記取引情報と前記第１の登録番号と前記第１の電話番号とを前記携帯端末から受信すると受信した前記第１の登録番号および前記第１の電話番号と前記第２の登録手段で登録されている第２の登録番号および前記第２の電話番号との照合を行う第１の照合手段と、
前記第１の照合手段により適正と判断された場合に暗証番号の入力を前記携帯端末に要求する要求手段と、
前記要求手段に基づいて受信した前記第１の暗証番号と前記第２の登録手段で登録されている前記第２の暗証番号とを照合することで暗証番号を認証する認証手段と、
前記認証手段により適切であると認証された場合に前記取引情報を基に前記第２の登録手段で登録されている前記クレジット番号による取引の決済を行う決済手段と、
前記取引の決済を終えると前記携帯端末と前記店舗端末とに前記完了通知を行う通知手段と、を有することを特徴とする携帯端末によるクレジット決済システム。
【請求項２】
前記第１の登録手段は、自端末内に予めカード会社共通のパスワードを登録する手段を有し、
前記携帯端末は、クレジット決済サービスを受けるときにユーザにパスワードを入力させ前記カード会社共通のパスワードとの照合を行う第２の照合手段と、
前記第２の照合手段で照合が一致すれば前記店舗端末からの前記取引情報を受信する受信手段と、を有することを特徴とする請求項１記載の携帯端末によるクレジット決済システム。
【請求項３】
ユーザの携帯端末を用いて取引利用時のクレジットの決済を行う携帯端末によるクレジット決済システムであって、
前記携帯端末と、クレジット決済サービスを行うサーバと、オンラインショッピングのサービスを行う店舗サーバとを接続する通信手段を備え、
前記店舗サーバは、ユーザとのオンラインショッピング取引時における取引情報を前記携帯端末に送信する第１の送信手段を有し、
前記携帯端末は、自端末内にクレジット会社毎にクレジット決済サービスを契約したカード会社の第１の登録番号を含むカード会社情報を予め登録した第１の登録手段と、
前記店舗サーバとのオンラインショッピング取引時に，前記第１の送信手段により前記店舗サーバから受信した前記取引情報と前記第１の登録手段で登録されている前記第１の登録番号および自端末の第１の電話番号とを前記サーバに送信する第２の送信手段と、
前記第２の送信手段に対する前記サーバからの要求によりキー入力された第１の暗証番号を前記サーバに返信する返信手段と、を有し、
前記サーバは、クレジット決済サービスを契約したユーザの第２の登録番号毎に第２の暗証番号と第２の電話番号とクレジット番号とを含むユーザ情報を予め登録する第２の登録手段と、
前記店舗サーバとのオンラインショッピング取引時に前記第２の送信手段により前記取引情報と前記第１の登録番号と前記第１の電話番号とを前記携帯端末から受信すると受信した前記第１の登録番号および前記第１の電話番号と前記第２の登録手段で登録されている第２の登録番号および前記第２の電話番号との照合を行う第１の照合手段と、
前記第１の照合手段により適正と判断された場合に暗証番号の入力を前記携帯端末に要求する要求手段と、
前記要求手段に基づいて受信した前記第１の暗証番号と前記第２の登録手段で登録されている前記第２の暗証番号とを照合することで暗証番号を認証する認証手段と、
前記認証手段により適切であると認証された場合に前記取引情報を基に前記第２の登録手段で登録されている前記クレジット番号による取引の決済を行う決済手段と、を有することを特徴とする携帯端末によるクレジット決済システム。
【請求項４】
前記第１の登録手段は、自端末内に予めカード会社共通のパスワードを格納する手段を有し、
前記携帯端末は、クレジット決済サービスを受けるときにユーザにパスワードを入力させ前記カード会社共通のパスワードとの照合を行う第２の照合手段と、
前記第２の照合手段で照合が一致すれば、前記店舗サーバからの前記取引情報を受信する受信手段と、を有することを特徴とする請求項３記載の携帯端末によるクレジット決済システム。
【請求項５】
前記第１の登録手段は、自端末内に搭載できるＩＣカード内に前記カード会社情報を登録することを特徴とする請求項１，２，３，または４記載の携帯端末によるクレジット決済システム。
【請求項６】
前記第１の登録手段は、自端末内の不揮発性のメモリに前記カード会社情報を登録することを特徴とする請求項１，２，３，または４記載の携帯端末によるクレジット決済システム。
【請求項７】
ユーザの携帯端末を用いて取引利用時のクレジットの決済を行う携帯端末によるクレジット決済システムであって、
前記携帯端末とクレジット決済サービスを行うサーバとを接続する第１の通信手段と、
前記サーバと前記店舗端末とを接続する第２の通信手段と、
前記携帯端末とレジで取引情報を入力する店舗端末とを接続する第３の通信手段と、を備え、
前記店舗端末は、ユーザとの取引情報を前記携帯端末に送信する第１の送信手段と、
前記サーバから完了通知を受信すると利用明細を出力する出力手段と、を有し、前記携帯端末は、クレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信するクレジット決済サービスのユーザ識別を示す登録番号を含むカード会社情報を自端末内にカード会社毎に登録する第１の登録手段と、
店舗での取引時に，前記第１の送信手段により前記店舗端末から受信した前記取引情報と前記登録番号と自端末の電話番号とを前記サーバに送信する第２の送信手段と、
前記第２の送信手段に対する前記サーバからの要求によりキー入力された第２の暗証番号を前記サーバに返信する返信手段と、を有し、
前記サーバは、クレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とを登録する第２の登録手段と、
店舗での取引時に前記第２の送信手段により前記取引情報と前記登録番号と前記電話番号とを前記携帯端末から受信すると受信した前記登録番号および前記電話番号のそれぞれの内容と前記第２の登録手段で登録されている内容との照合を行う第１の照合手段と、
前記第１の照合手段により適正と判断された場合に暗証番号の入力を前記携帯端末に要求する要求手段と、
前記要求手段に基づいて受信した前記第２の暗証番号と前記第２の登録手段で登録されている前記第１の暗証番号とを照合することで暗証番号を認証する認証手段と、
前記認証手段により適切であると認証された場合に前記取引情報を基に前記第２の登録手段で登録されている前記クレジット番号による取引の決済を行う決済手段と、
前記取引の決済を終えると前記携帯端末と前記店舗端末とに前記完了通知を行う通知手段と、を有することを特徴とする携帯端末によるクレジット決済システム。
【請求項８】
前記携帯端末は、自端末内にカード会社共通のパスワードを格納する手段を有し、
前記携帯端末は、クレジット決済サービスを受けるときにユーザにパスワードを入力させ前記カード会社共通のパスワードとの照合を行う第２の照合手段と、
照合が一致すれば、前記店舗端末からの前記取引情報を受信する受信手段と、を有することを特徴とする請求項７記載の携帯端末によるクレジット決済システム。
【請求項９】
ユーザの携帯端末を用いて取引利用時のクレジットの決済を行う携帯端末によるクレジット決済システムであって、
ＩＣカードを登載した前記携帯端末とクレジット決済サービスを行うサーバとを接続する第１の通信手段と、
前記サーバと前記店舗端末とを接続する第２の通信手段と、
前記携帯端末とレジで取引情報を入力する店舗端末とを接続する第３の通信手段と、を備え、
前記ＩＣカードは、カード会社毎の登録番号のクレジット決済サービスのユーザ識別を示す登録番号を含むカード会社情報を格納するエリアを有し、
前記店舗端末は、ユーザとの取引情報を前記携帯端末に送信する第１の送信手段と、
前記サーバから完了通知を受信すると利用明細を出力する出力手段と、を有し、前記携帯端末は、クレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信する前記登録番号を含むカード会社情報を前記ＩＣカードにカード会社毎に登録する第１の登録手段と、
店舗での取引時に，前記第１の送信手段により前記店舗端末から受信した前記取引情報と前記ＩＣカードに登録されている前記登録番号と自端末の電話番号とを前記サーバに送信する第２の送信手段と、
前記第２の送信手段に対する前記サーバからの要求によりキー入力された第２の暗証番号を前記サーバに返信する返信手段と、を有し、
前記サーバは、クレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とを登録する第２の登録手段と、
店舗での取引時に前記第２の送信手段により前記取引情報と前記登録番号と前記電話番号とを前記携帯端末から受信すると受信した前記登録番号および前記電話番号のそれぞれの内容と前記第２の登録手段で登録されている内容との照合を行う第１の照合手段と、
前記第１の照合手段により適正と判断された場合に暗証番号の入力を前記携帯端末に要求する要求手段と、
前記要求手段に基づいて受信した前記第２の暗証番号と前記第２の登録手段で登録されている前記第１の暗証番号とを照合することで暗証番号を認証する認証手段と、
前記認証手段により適切であると認証された場合に前記取引情報を基に前記第２の登録手段で登録されている前記クレジット番号による取引の決済を行う決済手段と、
前記取引の決済を終えると前記携帯端末と前記店舗端末とに前記完了通知を行う通知手段と、を有することを特徴とする携帯端末によるクレジット決済システム。
【請求項１０】
前記ＩＣカードは、カード会社共通のパスワードを格納する手段を有し、
前記携帯端末は、クレジット決済サービスを受けるときにユーザにパスワードを入力させ前記カード会社共通のパスワードとの照合を行う第２の照合手段と、
前記第２の照合手段で照合が一致すれば、前記店舗端末からの前記取引情報を受信する受信手段と、を有することを特徴とする請求項９記載の携帯端末によるクレジット決済システム。
【請求項１１】
ユーザの携帯端末を用いて取引利用時のクレジットの決済を行う携帯端末によるクレジット決済システムであって、
前記携帯端末と、クレジット決済サービスを行うサーバと、オンラインショッピングのサービスを行う店舗サーバとを接続する通信手段を備え、
前記店舗サーバは、ユーザとのオンラインショッピング取引時における取引情報を前記携帯端末に送信する第１の送信手段を有し、
前記携帯端末は、クレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信するクレジット決済サービスのユーザ識別を示す登録番号を含むカード会社情報を自端末内にカード会社毎に登録する第１の登録手段と、
前記店舗サーバとのオンラインショッピング取引時に，前記第１の送信手段により前記店舗サーバから受信した前記取引情報と前記第１の登録手段で登録されている前記登録番号と自端末の電話番号とを前記サーバに送信する第２の送信手段と、
前記第２の送信手段に対する前記サーバからの要求によりキー入力された第２の暗証番号を前記サーバに返信する返信手段と、を有し、
前記サーバは、クレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とを登録する第２の登録手段と、
前記店舗サーバとのオンラインショッピング取引時に前記第２の送信手段により前記取引情報と前記登録番号と前記電話番号とを前記携帯端末から受信すると受信した前記登録番号および前記電話番号のそれぞれの内容と前記第２の登録手段で登録されている内容との照合を行う照合手段と、
前記照合手段により適正と判断された場合に暗証番号の入力を前記携帯端末に要求する要求手段と、
前記要求手段に基づいて受信した前記第２の暗証番号と前記第２の登録手段で登録されている前記第１の暗証番号とを照合することで暗証番号を認証する認証手段と、
前記認証手段により適切であると認証された場合に前記取引情報を基に前記第２の登録手段で登録されている前記クレジット番号による取引の決済を行う決済手段と、を有することを特徴とする携帯端末によるクレジット決済システム。
【請求項１２】
前記携帯端末は、自端末内にカード会社共通のパスワードを格納する手段を有し、
前記携帯端末は、クレジット決済サービスを受けるときにユーザにパスワードを入力させ前記カード会社共通のパスワードとの照合を行う第２の照合手段と、
前記第２の照合手段で照合が一致すれば、前記店舗サーバからの前記取引情報を受信する受信手段と、を有することを特徴とする請求項１１記載の携帯端末によるクレジット決済システム。
【請求項１３】
ユーザの携帯端末を用いて取引利用時のクレジットの決済を行う携帯端末によるクレジット決済システムであって、
ＩＣカードを登載した前記携帯端末と、クレジット決済サービスを行うサーバと、前記サーバとオンラインショッピングのサービスを行う店舗サーバとをインターネットで接続する接続手段を備え、
前記ＩＣカードは、カード会社毎の登録番号を含むカード会社情報を格納するエリアを有し、
前記店舗サーバは、ユーザとのオンラインショッピング取引時における取引情報を前記携帯端末に送信する第１の送信手段を有し、
前記携帯端末は、クレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信する前記登録番号を含むカード会社情報を前記ＩＣカードにカード会社毎に登録する第１の登録手段と、
前記店舗サーバとのオンラインショッピング取引時に，前記第１の送信手段により前記店舗サーバから受信した前記取引情報と前記ＩＣカードに登録されている前記登録番号と自端末の電話番号とを前記サーバに送信する第２の送信手段と、前記第２の送信手段に対する前記サーバからの要求によりキー入力された第２の暗証番号を前記サーバに返信する返信手段と、を有し、
前記サーバは、クレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とを登録する第２の登録手段と、
前記店舗サーバとのオンラインショッピング取引時に前記第２の送信手段により前記取引情報と前記登録番号と前記電話番号とを前記携帯端末から受信すると受信した前記登録番号および前記電話番号のそれぞれの内容と前記第２の登録手段で登録されている内容との照合を行う照合手段と、
前記照合手段により適正と判断された場合に暗証番号の入力を前記携帯端末に要求する要求手段と、
前記要求手段に基づいて受信した前記第２の暗証番号と前記第２の登録手段で登録されている前記第１の暗証番号とを照合することで暗証番号を認証する認証手段と、
前記認証手段により適切であると認証された場合に前記取引情報を基に前記第２の登録手段で登録されている前記クレジット番号による取引の決済を行う決済手段と、を有することを特徴とする携帯端末によるクレジット決済システム。
【請求項１４】
前記ＩＣカードは、カード会社共通のパスワードを格納する手段を有し、
前記携帯端末は、クレジット決済サービスを受けるときにユーザにパスワードを入力させ前記カード会社共通のパスワードとの照合を行う第２の照合手段と、
前記第２の照合手段で照合が一致すれば、前記店舗サーバからの前記取引情報を受信する受信手段と、を有することを特徴とする請求項１３記載の携帯端末によるクレジット決済システム。
【請求項１５】
前記カード会社情報は、前記サーバへの接続情報を含むことを特徴とする請求項１，３，７，９，１１，または１３記載のクレジット決済システム。
【請求項１６】
インターネットによるユーザの携帯端末を用いたショッピング取引利用時にクレジット決済を行うクレジット決済サーバであって、
クレジット決済サービス利用のユーザに発行した第１の登録番号毎に第１の電話番号と前記登録番号に対する第１の暗証番号とユーザ利用のクレジット番号とを登録する登録手段と、
ショッピング取引利用時にユーザが取引した取引情報と第２の登録番号と第２の電話番号とを前記携帯端末から受信すると前記第２の登録番号および前記第２の電話番号のそれぞれの内容が前記登録手段で登録されている前記第１の登録番号および前記第１の電話番号と一致するかの照合を行う照合手段と、
前記照合手段により適正と判断された場合に前記携帯端末に対して暗証番号の入力を要求する要求手段と、
前記要求手段に基づいて受信した前記第２の暗証番号が前記登録手段で登録されている前記第１の暗証番号と一致するかの照合を行うことで認証を行う認証手段と、
前記認証手段により適切であると認証された場合に前記取引情報を基に前記登録手段で登録されている前記クレジット番号で取引の決済を行う決済手段と、を有することを特徴とするクレジット決済サーバ。
【請求項１７】
インターネットによるユーザの携帯端末を用いたショッピング取引利用時にクレジット決済を行うクレジット決済サーバであって、
クレジット決済サービスの契約時に伴うユーザ登録時に前記携帯端末からユーザ利用のクレジット番号と前記携帯端末自身の第１の電話番号とを含む登録要求情報を受信すると前記携帯端末にクレジット決済サービス使用時に使用する暗証番号の入力を要求する要求手段と、
前記要求手段に伴って入力された第１の暗証番号を前記携帯端末から受信するとクレジット決済サービスの第１の登録番号を発行しその発行した第１の登録番号毎に前記登録要求情報と前記第１の暗証番号とを登録する登録手段と、
前記登録手段に伴って発行した前記第１の登録番号を前記携帯端末に送信することで前記携帯端末に前記第１の登録番号を管理させる管理手段と、
ショッピング取引利用時にユーザが取引した取引情報と第２の登録番号と第２の電話番号とを前記携帯端末から受信すると前記第２の登録番号および前記第２の電話番号のそれぞれの内容が前記登録手段で登録されている前記第１の登録番号および前記第１の電話番号と一致するかの照合を行う照合手段と、
前記照合手段により適正と判断された場合に前記携帯端末に対して暗証番号の入力を要求する要求手段と、
前記要求手段に基づいて受信した前記第２の暗証番号が前記登録手段で登録されている前記第１の暗証番号と一致するかの照合を行うことで認証を行う認証手段と、
前記認証手段により適切であると認証された場合に前記取引情報を基に前記登録手段で登録されている前記クレジット番号で取引の決済を行う決済手段と、を有することを特徴とするクレジット決済サーバ。
【請求項１８】
ユーザの携帯端末を用いて取引利用時のクレジットの決済を行う携帯端末によるクレジット決済方法であって、
前記携帯端末とクレジット決済サービスを行うサーバとを接続する第１のネットワークと、
前記サーバと前記店舗端末とを接続する第２のネットワークと、
前記携帯端末とレジで取引情報を入力する店舗端末とを接続する第３のネットワークと、を準備し、
前記携帯端末内にクレジット会社毎にクレジット決済サービスを契約したカード会社の第１の登録番号を含む会社情報を予め登録し、
前記サーバにクレジット決済サービスを契約したユーザの第２の登録番号毎に第２の暗証番号と第２の電話番号とクレジット番号とを含むユーザ情報を予め登録したデータベースを管理させ、
前記店舗端末がユーザとの取引情報を前記携帯端末に送信するステップと、
前記店舗端末が前記サーバから完了通知を受信すると利用明細を出力するステップと、
前記携帯端末が前記店舗端末から受信した前記取引情報と自端末内に登録された前記第１の登録番号と自端末の第１の電話番号とを前記サーバに送信するステップと、
前記携帯端末が前記サーバに送信するステップに対する前記サーバからの要求によりキー入力された第１の暗証番号を前記サーバに送信するステップと、
前記サーバが店舗での取引時に前記取引情報と前記第１の登録番号と前記第１の電話番号とを前記携帯端末から受信すると受信した前記第１の登録番号および前記第１の電話番号と前記前記データベースに登録されている前記第２の登録番号および前記第２の電話番号との照合を行うステップと、
前記サーバが照合の結果適正と判断された場合に暗証番号の入力を前記携帯端末に要求するステップと、
前記サーバが前記要求するステップに基づいて受信した前記第１の暗証番号と前記データベースに登録されている前記第２の暗証番号とを照合することで暗証番号を認証するステップと、
前記サーバが前記認証するステップにより適切であると認証された場合に前記取引情報を基に前記クレジット番号による取引の決済を行うステップと、
前記サーバが前記取引の決済を終えると前記携帯端末と前記店舗端末とに前記完了通知を行うステップと、を含むことを特徴とする携帯端末によるクレジット決済方法。
【請求項１９】
前記携帯端末内に予めカード会社共通のパスワードを登録させ、
前記携帯端末がクレジット決済サービスを受けるときにユーザにパスワードを入力させ前記カード会社共通のパスワードとの照合を行うステップと、
前記携帯端末が前記カード会社共通のパスワードとの照合が一致すれば前記店舗端末からの前記取引情報を受信するステップと、を含むことを特徴とする請求項１８記載の携帯端末によるクレジット決済方法。
【請求項２０】
ユーザの携帯端末を用いて取引利用時のクレジットの決済を行う携帯端末によるクレジット決済方法であって、
前記携帯端末と、クレジット決済サービスを行うサーバと、オンラインショッピングのサービスを行う店舗サーバとを接続するネットワークを準備し、
前記携帯端末内にクレジット会社毎にクレジット決済サービスを契約したカード会社の第１の登録番号を含む会社情報を予め登録し、
前記サーバにクレジット決済サービスを契約したユーザの第２の登録番号毎に第２の暗証番号と第２の電話番号とクレジット番号とを含むユーザ情報を予め登録したデータベースを管理させ、
前記店舗サーバがユーザとのオンラインショッピング取引時における取引情報を前記携帯端末に送信するステップと、
前記携帯端末が前記店舗サーバとのオンラインショッピング取引時に，前記店舗サーバから受信した前記取引情報と自端末内に登録されている第１の登録番号と自端末の第１の電話番号とを前記サーバに送信するステップと、
前記携帯端末が前記サーバに送信するステップに対する前記サーバからの要求によりキー入力された第１の暗証番号を前記サーバに送信するステップと、
前記サーバが前記店舗サーバとのオンラインショッピング取引時に前記取引情報と前記第１の登録番号と前記第１の電話番号とを前記携帯端末から受信すると受信した前記第１の電話番号および前記第１の登録番号と前記データベースに登録されている第２の電話番号および前記第２の登録番号との照合を行うステップと、
前記サーバが照合の結果適正と判断した場合に暗証番号の入力を前記携帯端末に要求するステップと、
前記サーバが前記要求するステップに基づいて受信した前記第１の暗証番号と前記データベースに登録されている前記第２の暗証番号とを照合することで暗証番号を認証するステップと、
前記サーバが前記認証するステップにより適切であると認証された場合に前記取引情報を基に前記データベースに登録されている前記クレジット番号による取引の決済を行うステップと、を有することを特徴とする携帯端末によるクレジット決済方法。
【請求項２１】
前記携帯端末内に予めカード会社共通のパスワードを登録させ、
前記携帯端末がクレジット決済サービスを受けるときにユーザにパスワードを入力させ前記カード会社共通のパスワードとの照合を行うステップと、
前記携帯端末が前記カード会社共通のパスワードとの照合が一致すれば前記店舗サーバからの前記取引情報を受信するステップと、を含むことを特徴とする請求項２０記載の携帯端末によるクレジット決済方法。
【請求項２２】
ユーザの携帯端末を用いて取引利用時のクレジットの決済を行う携帯端末によるクレジット決済方法であって、
前記携帯端末とクレジット決済サービスを行うサーバとを接続する第１のネットワークと、
前記サーバと前記店舗端末とを接続する第２のネットワークと、
前記携帯端末とレジで取引情報を入力する店舗端末とを接続する第３のネットワークと、を準備し、
前記店舗端末がユーザとの取引情報を前記携帯端末に送信するステップと、
前記携帯端末が前記サーバから完了通知を受信すると利用明細を出力するステップと、
前記携帯端末がクレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信するクレジット決済サービスのユーザ識別を示す登録番号を含むカード会社情報を自端末内にカード会社毎に登録するステップと、
前記携帯端末が店舗での取引時に，前記店舗端末から受信した前記取引情報と自端末内に登録されている前記登録番号と自端末の電話番号とを前記サーバに送信するステップと、
前記携帯端末が前記サーバに送信するステップに対する前記サーバからの要求によりキー入力された第２の暗証番号を前記サーバに返信するステップと、
前記サーバがクレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とをデータベースに登録するステップと、
前記サーバが店舗での取引時に前記取引情報と前記登録番号と前記電話番号とを前記携帯端末から受信すると受信した前記登録番号および前記電話番号のそれぞれの内容と前記データベースに登録されている内容との照合を行うステップと、前記サーバが前記照合の結果適正と判断された場合に暗証番号の入力を前記携帯端末に要求するステップと、
前記サーバが前記要求するステップに基づいて受信した前記第２の暗証番号と前記データベースの登録されている前記第１の暗証番号とを照合することで暗証番号を認証するステップと、
前記サーバが前記認証するステップにより適切であると認証された場合に前記取引情報を基に前記データベースに登録されている前記クレジット番号による取引の決済を行うステップと、
前記取引の決済を終えると前記携帯端末と前記店舗端末とに前記完了通知を行うステップと、を有することを特徴とする携帯端末によるクレジット決済方法。
【請求項２３】
前記携帯端が自端末内にカード会社共通のパスワードを予め登録するステップと、
前記携帯端末がクレジット決済サービスを受けるときにユーザにパスワードを入力させ前記カード会社共通のパスワードとの照合を行うステップと、
前記端末が前記カード会社共通のパスワードとの照合で一致すれば前記店舗端末からの前記取引情報を受信するステップと、を含むことを特徴とする請求項２２記載の携帯端末によるクレジット決済方法。
【請求項２４】
ユーザの携帯端末を用いて取引利用時のクレジットの決済を行う携帯端末によるクレジット決済方法であって、
前記携帯端末と、クレジット決済サービスを行うサーバと、オンラインショッピングのサービスを行う店舗サーバとを接続するネットワークを準備し、
前記店舗サーバは、ユーザとのオンラインショッピング取引時における取引情報を前記携帯端末に送信するステップと、
前記携帯端末がクレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信するクレジット決済サービスのユーザ識別を示す登録番号を含むカード会社情報を自端末内にカード会社毎に登録するステップと、
前記携帯端末が前記店舗サーバとのオンラインショッピング取引時に，前記店舗サーバから受信した前記取引情報と前記第１の登録手段で登録された前記登録番号および自端末の電話番号とを前記サーバに送信するステップと、
前記携帯端末が前記送信手段に対する前記サーバからの要求によりキー入力された第２の暗証番号を前記サーバに送信するステップと、
前記サーバがクレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とをデータベースに登録するステップと、
前記サーバが前記店舗サーバとのオンラインショッピング取引時に前記取引情報と前記登録番号および前記電話番号とを前記携帯端末から受信すると受信した前記登録番号および前記電話番号のそれぞれの内容と前記データベースに登録されている内容との照合を行うステップと、
前記サーバが前記照合の結果適正と判断された場合に暗証番号の入力を前記携帯端末に要求するステップと、
前記サーバが前記要求するステップに基づいて受信した前記第２の暗証番号と前記第１の暗証番号とを照合することで暗証番号を認証するステップと、
前記サーバが認証するステップにより適切であると認証された場合に前記取引情報を基に前記データベースに登録されている前記クレジット番号による取引の決済を行うステップと、を含むことを特徴とする携帯端末によるクレジット決済方法。
【請求項２５】
前記携帯端末が自端末内にカード会社共通のパスワードを予め登録するステップと、
前記携帯端末がクレジット決済サービスを受けるときにユーザにパスワードを入力させ前記カード会社共通のパスワードとの照合を行うステップと、
前記携帯端末が前記カード会社共通のパスワードとの照合で一致すれば、前記店舗サーバからの前記取引情報を受信するステップと、を含むことを特徴とする請求項２４記載の携帯端末によるクレジット決済方法。
【請求項２６】
前記携帯端末内に搭載できるＩＣカード内に前記カード会社情報を登録することを特徴とする請求項１８，１９，２０，２１，２２，２３，２４，または２５記載の携帯端末によるクレジット決済方法。
【請求項２７】
前記携帯端末内の不揮発性のメモリに前記カード会社情報を登録することを特徴とする請求項１８，１９，２０，２１，２２，２３，２４，または２５記載の携帯端末によるクレジット決済方法。
【請求項２８】
前記カード会社情報は、前記サーバへの接続情報を含むことを特徴とする請求項１８，２０，２２，２４，２６または２７記載のクレジット決済方法。
【請求項２９】
コンピュータに、クレジット決済サービス利用のユーザに発行した第１の登録番号毎に携帯端末の第１の電話番号と前記第１の登録番号に対する前記第１の暗証番号とユーザ利用のクレジット番号とをデータベースに登録するステップと、
ショッピング取引利用時にユーザが取引した取引情報と第２の登録番号と第２の電話番号とを前記携帯端末から受信すると前記第２の登録番号および前記第２の電話番号のそれぞれの内容が前記データベースに登録されている前記第１の登録番号および前記第１の電話番号と一致するかの照合を行うステップと、
前記照合により適正と判断された場合に前記携帯端末に対して暗証番号の入力を要求するステップと、
前記要求に基づいて受信した前記第２の暗証番号が前記データベースに登録されている前記第１の暗証番号と一致するかの照合を行うことで認証を行うステップと、
前記認証により適切であると判断した場合に前記取引情報を基に前記データベースに登録されている前記クレジット番号で取引の決済を行うステップと、を含む処理を実行させるプログラム。
【請求項３０】
コンピュータに、クレジット決済サービスの契約時に伴うユーザ登録時に前記携帯端末からユーザ利用のクレジット番号と前記携帯端末自身の第１の電話番号とを含む登録要求情報を受信すると前記携帯端末にクレジット決済サービス使用時に使用する暗証番号の入力を要求するステップと、
前記要求に基づいて入力された第１の暗証番号を前記携帯端末から受信するとクレジット決済サービスの第１の登録番号を発行しその発行した第１の登録番号毎に前記登録要求情報と前記第１の暗証番号とをデータベースに登録するステップと、
前記発行した前記第１の登録番号を前記携帯端末に送信することで前記携帯端末に前記第１の登録番号を管理させるステップと、
ショッピング取引利用時にユーザが取引した取引情報と第２の登録番号と第２の電話番号とを前記携帯端末から受信すると前記第２の登録番号および前記第２の電話番号のそれぞれの内容が前記データベースに登録されている前記第１の登録番号および前記第１の電話番号と一致するかの照合を行うステップと、
前記照合により適正と判断された場合に前記携帯端末に対して暗証番号の入力を要求するステップと、
前記要求に基づいて受信した前記第２の暗証番号が前記データベースに登録されている前記第１の暗証番号と一致するかの照合を行うことで認証を行うステップと、
前記認証により適切であると判断した場合に前記取引情報を基に前記データベースに登録されている前記クレジット番号で取引の決済を行うステップと、を含む処理を実行させるプログラム。
【発明の詳細な説明】
【０００１】
【発明の属する技術分野】
本発明は、携帯端末によるクレジット決済システムおよび方法、クレジット決済サーバ、並びにプログラムに関し、特に、店舗またはオンラインショッピングでの取引利用時に、ＩＣカードまたは不揮発性の内臓メモリに対して読み書きが可能な携帯端末を利用して、無線により購入代金および利用代金の決済ができるクレジット決済システムおよび方法、区レット決済サーバ、並びにプログラムに関する。
【０００２】
【従来の技術】
近年、デビットカードなどの普及もあり、カードでの買い物が増えている。また海外旅行も盛んになり、海外でのクレジットカードの使用も同時に増えている。これに伴い、カードを店員に渡した際、買ったものより多い請求額が来たり、カードが偽造され、覚えのない請求が着たりトラブルが増加している。このため、店舗で利用する際に、上記のようなトラブルを解決する手段として、自分の携帯電話を使って決済を行う方法が提案されている。
【０００３】
自分の携帯端末を使って決済を行う方法として、例えば、特開２００２−１６３５８４号公報に開示されている。この特開２００２−１６３５８４号公報に記載された決済方法について、図１４を参照して説明する。
【０００４】
サービスセンター８２は、クレジット決済サービス開始時に携帯端末８１に組みかまれたＩＣカード８４に格納された認証情報が携帯端末８１から送られチェックし認証すると、ＩＣカード８４の暗証番号の入力を携帯端末８１に要求し、入力された暗証番号を認証する。すると、携帯端末８１は、ＩＣカードの暗証番号、ＩＣクレジット情報、時間をサービスセンター８２経由でカード会社の決済サーバ８５に送信する。すると、決済サーバ８５は、１度だけ使用可能なワンタイムパスワードを生成し、サービスセンター８２経由で携帯端末８１に表示する。携帯端末８１に表示されたパスワードが店舗端末８３に入力されると、店舗端末８３は、顧客取引情報と入力されたパスワードとを決済サーバ５に転送し、決済サーバ５は、パスワードチェック後に顧客取引情報に基づいて決済する。
【０００５】
【特許文献１】
特開２００２−１６３５８４号公報（段落番号００２６〜００２８および図４）
【０００６】
【発明が解決しようとする課題】
しかしながら、上記の特開２００２−１６３５８４号公報記載の従来技術におけるＩＣカードを利用したクレジット決済サービスでは、サービスセンターが利用者に暗証番号を入力させその入力させた暗証番号とＩＣカードの暗証番号とを比較し、認証後に決済サーバがワンタイムパスワードを発行するようにしているが、ＩＣカードにクレジットの暗証番号（クレジットカードまたはデビットカードの暗証暗号に対応）とクレジット情報（クレジットカード情報またはでビットカード情報に対応）を同時に登録していることになるため、ＩＣカードまたはＩＣカードを搭載した携帯端末を落とした場合、ＩＣカードの内容を読み取られて他人に携帯電話を利用したクレジット決済サービスが利用されるという問題点がある。
【０００７】
本発明の目的は、上記問題点を鑑み、店舗先でクレジットカード情報およびクレジットカードの暗証番号を知られずに、かつ携帯端末を落としたとしてもクレジットカード情報（または銀行の口座番号）およびクレジットカード（または銀行の口座番号）の暗証番号を知られないことにある。
【０００８】
また、本発明の別の目的は、上記問題点を鑑み、オンラインショッピングサービスを行っている事業者にクレジットカード番号（または銀行の口座番号）およびその暗証番号を知られないことにある。
【０００９】
また、本発明の別の目的は、上記問題点を鑑み、店舗先またはオンラインショッピングサービスを行っている事業者にクレジット決済サービスの暗証番号を知られないことにある。
【００１０】
また、本発明の別の目的は、上記問題点を鑑み、オンラインサービスおよび店舗先の両方に対応できるクレジット決済サービスを行うサーバを構築することにある。
【００１１】
【課題を解決するための手段】
上記の目的を達成するために、本発明の第１の携帯端末によるクレジット決済システムは、ユーザの携帯端末を用いて取引利用時のクレジットの決済を行う携帯端末によるクレジット決済システムであって、前記携帯端末とクレジット決済サービスを行うサーバとを接続する第１の通信手段と、前記サーバと前記店舗端末とを接続する第２の通信手段と、前記携帯端末とレジで取引情報を入力する店舗端末とを接続する第３の通信手段と、を備え、前記店舗端末は、ユーザとの取引情報を前記携帯端末に送信する第１の送信手段と、前記サーバから完了通知を受信すると利用明細を出力する出力手段と、を有し、前記携帯端末は、自端末内にクレジット会社毎にクレジット決済サービスを契約したカード会社の第１の登録番号を含むカード会社情報を予め登録する第１の登録手段と、店舗での取引時に，前記第１の送信手段により前記店舗端末から受信した前記取引情報と前記第１の登録手段で登録されている前記第１の登録番号と自端末の第１の電話番号とを前記サーバに送信する第２の送信手段と、前記第２の送信手段に対する前記サーバからの要求によりキー入力された第１の暗証番号を前記サーバに返信する返信手段と、を有し、前記サーバは、クレジット決済サービスを契約したユーザの第２の登録番号毎に第２の暗証番号と第２の電話番号とクレジット番号とを含むユーザ情報を予め登録した第２の登録手段と、店舗での取引時に前記第２の送信手段により前記取引情報と前記第１の登録番号と前記第１の電話番号とを前記携帯端末から受信すると受信した前記第１の登録番号および前記第１の電話番号と前記第２の登録手段で登録されている第２の登録番号および前記第２の電話番号との照合を行う第１の照合手段と、前記第１の照合手段により適正と判断された場合に暗証番号の入力を前記携帯端末に要求する要求手段と、前記要求手段に基づいて受信した前記第１の暗証番号と前記第２の登録手段で登録されている前記第２の暗証番号とを照合することで暗証番号を認証する認証手段と、前記認証手段により適切であると認証された場合に前記取引情報を基に前記第２の登録手段で登録されている前記クレジット番号による取引の決済を行う決済手段と、前記取引の決済を終えると前記携帯端末と前記店舗端末とに前記完了通知を行う通知手段と、を有することを特徴としている。
【００１２】
更に、上記の第１の携帯端末によるクレジット決済システムにおいて、前記第１の登録手段は、自端末内に予めカード会社共通のパスワードを登録する手段を有し、前記携帯端末は、クレジット決済サービスを受けるときにユーザにパスワードを入力させ前記カード会社共通のパスワードとの照合を行う第２の照合手段と、前記第２の照合手段で照合が一致すれば前記店舗端末からの前記取引情報を受信する受信手段と、を有することを特徴としている。
【００１３】
また、本発明の第２の携帯端末によるクレジット決済システムは、ユーザの携帯端末を用いて取引利用時のクレジットの決済を行う携帯端末によるクレジット決済システムであって、前記携帯端末と、クレジット決済サービスを行うサーバと、オンラインショッピングのサービスを行う店舗サーバとを接続する通信手段を備え、前記店舗サーバは、ユーザとのオンラインショッピング取引時における取引情報を前記携帯端末に送信する第１の送信手段を有し、前記携帯端末は、自端末内にクレジット会社毎にクレジット決済サービスを契約したカード会社の第１の登録番号を含むカード会社情報を予め登録した第１の登録手段と、前記店舗サーバとのオンラインショッピング取引時に，前記第１の送信手段により前記店舗サーバから受信した前記取引情報と前記第１の登録手段で登録されている前記第１の登録番号および自端末の第１の電話番号とを前記サーバに送信する第２の送信手段と、前記第２の送信手段に対する前記サーバからの要求によりキー入力された第１の暗証番号を前記サーバに返信する返信手段と、を有し、前記サーバは、クレジット決済サービスを契約したユーザの第２の登録番号毎に第２の暗証番号と第２の電話番号とクレジット番号とを含むユーザ情報を予め登録する第２の登録手段と、前記店舗サーバとのオンラインショッピング取引時に前記第２の送信手段により前記取引情報と前記第１の登録番号と前記第１の電話番号とを前記携帯端末から受信すると受信した前記第１の登録番号および前記第１の電話番号と前記第２の登録手段で登録されている第２の登録番号および前記第２の電話番号との照合を行う第１の照合手段と、前記第１の照合手段により適正と判断された場合に暗証番号の入力を前記携帯端末に要求する要求手段と、前記要求手段に基づいて受信した前記第１の暗証番号と前記第２の登録手段で登録されている前記第２の暗証番号とを照合することで暗証番号を認証する認証手段と、前記認証手段により適切であると認証された場合に前記取引情報を基に前記第２の登録手段で登録されている前記クレジット番号による取引の決済を行う決済手段と、を有することを特徴としている。
【００１４】
更に、上記の第２の携帯端末によるクレジット決済システムにおいて、前記第１の登録手段は、自端末内に予めカード会社共通のパスワードを格納する手段を有し、前記携帯端末は、クレジット決済サービスを受けるときにユーザにパスワードを入力させ前記カード会社共通のパスワードとの照合を行う第２の照合手段と、前記第２の照合手段で照合が一致すれば、前記店舗サーバからの前記取引情報を受信する受信手段と、を有することを特徴としている。
【００１５】
更に、上記の第１および第２の携帯端末によるクレジット決済システムにおいて、前記第１の登録手段は、自端末内に搭載できるＩＣカード内に前記カード会社情報を登録することを特徴としている。
【００１６】
更に、上記の第１および第２の携帯端末によるクレジット決済システムにおいて、前記第１の登録手段は、自端末内の不揮発性のメモリに前記カード会社情報を登録することを特徴としている。
【００１７】
また、本発明の第３の携帯端末によるクレジット決済システムは、ユーザの携帯端末を用いて取引利用時のクレジットの決済を行う携帯端末によるクレジット決済システムであって、前記携帯端末とクレジット決済サービスを行うサーバとを接続する第１の通信手段と、前記サーバと前記店舗端末とを接続する第２の通信手段と、前記携帯端末とレジで取引情報を入力する店舗端末とを接続する第３の通信手段と、を備え、前記店舗端末は、ユーザとの取引情報を前記携帯端末に送信する第１の送信手段と、前記サーバから完了通知を受信すると利用明細を出力する出力手段と、を有し、前記携帯端末は、クレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信するクレジット決済サービスのユーザ識別を示す登録番号を含むカード会社情報を自端末内にカード会社毎に登録する第１の登録手段と、店舗での取引時に，前記第１の送信手段により前記店舗端末から受信した前記取引情報と前記登録番号と自端末の電話番号とを前記サーバに送信する第２の送信手段と、前記第２の送信手段に対する前記サーバからの要求によりキー入力された第２の暗証番号を前記サーバに返信する返信手段と、を有し、前記サーバは、クレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とを登録する第２の登録手段と、店舗での取引時に前記第２の送信手段により前記取引情報と前記登録番号と前記電話番号とを前記携帯端末から受信すると受信した前記登録番号および前記電話番号のそれぞれの内容と前記第２の登録手段で登録されている内容との照合を行う第１の照合手段と、前記第１の照合手段により適正と判断された場合に暗証番号の入力を前記携帯端末に要求する要求手段と、前記要求手段に基づいて受信した前記第２の暗証番号と前記第２の登録手段で登録されている前記第１の暗証番号とを照合することで暗証番号を認証する認証手段と、前記認証手段により適切であると認証された場合に前記取引情報を基に前記第２の登録手段で登録されている前記クレジット番号による取引の決済を行う決済手段と、前記取引の決済を終えると前記携帯端末と前記店舗端末とに前記完了通知を行う通知手段と、を有することを特徴としている。
【００１８】
更に、上記の第３の携帯端末によるクレジット決済システムにおいて、前記携帯端末は、自端末内にカード会社共通のパスワードを格納する手段を有し、前記携帯端末は、クレジット決済サービスを受けるときにユーザにパスワードを入力させ前記カード会社共通のパスワードとの照合を行う第２の照合手段と、照合が一致すれば、前記店舗端末からの前記取引情報を受信する受信手段と、を有することを特徴としている。
【００１９】
また、本発明の第４の携帯端末によるクレジット決済システムは、ユーザの携帯端末を用いて取引利用時のクレジットの決済を行う携帯端末によるクレジット決済システムであって、ＩＣカードを登載した前記携帯端末とクレジット決済サービスを行うサーバとを接続する第１の通信手段と、前記サーバと前記店舗端末とを接続する第２の通信手段と、前記携帯端末とレジで取引情報を入力する店舗端末とを接続する第３の通信手段と、を備え、前記ＩＣカードは、カード会社毎の登録番号のクレジット決済サービスのユーザ識別を示す登録番号を含むカード会社情報を格納するエリアを有し、前記店舗端末は、ユーザとの取引情報を前記携帯端末に送信する第１の送信手段と、前記サーバから完了通知を受信すると利用明細を出力する出力手段と、を有し、前記携帯端末は、クレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信する前記登録番号を含むカード会社情報を前記ＩＣカードにカード会社毎に登録する第１の登録手段と、店舗での取引時に，前記第１の送信手段により前記店舗端末から受信した前記取引情報と前記ＩＣカードに登録されている前記登録番号と自端末の電話番号とを前記サーバに送信する第２の送信手段と、前記第２の送信手段に対する前記サーバからの要求によりキー入力された第２の暗証番号を前記サーバに返信する返信手段と、を有し、前記サーバは、クレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とを登録する第２の登録手段と、店舗での取引時に前記第２の送信手段により前記取引情報と前記登録番号と前記電話番号とを前記携帯端末から受信すると受信した前記登録番号および前記電話番号のそれぞれの内容と前記第２の登録手段で登録されている内容との照合を行う第１の照合手段と、前記第１の照合手段により適正と判断された場合に暗証番号の入力を前記携帯端末に要求する要求手段と、前記要求手段に基づいて受信した前記第２の暗証番号と前記第２の登録手段で登録されている前記第１の暗証番号とを照合することで暗証番号を認証する認証手段と、前記認証手段により適切であると認証された場合に前記取引情報を基に前記第２の登録手段で登録されている前記クレジット番号による取引の決済を行う決済手段と、前記取引の決済を終えると前記携帯端末と前記店舗端末とに前記完了通知を行う通知手段と、を有することを特徴としている。
【００２０】
更に、上記の第４の携帯端末によるクレジット決済システムにおいて、前記ＩＣカードは、カード会社共通のパスワードを格納する手段を有し、前記携帯端末は、クレジット決済サービスを受けるときにユーザにパスワードを入力させ前記カード会社共通のパスワードとの照合を行う第２の照合手段と、前記第２の照合手段で照合が一致すれば、前記店舗端末からの前記取引情報を受信する受信手段と、を有することを特徴としている。
【００２１】
また、本発明の第５の携帯端末によるクレジット決済システムは、ユーザの携帯端末を用いて取引利用時のクレジットの決済を行う携帯端末によるクレジット決済システムであって、前記携帯端末と、クレジット決済サービスを行うサーバと、オンラインショッピングのサービスを行う店舗サーバとを接続する通信手段を備え、前記店舗サーバは、ユーザとのオンラインショッピング取引時における取引情報を前記携帯端末に送信する第１の送信手段を有し、前記携帯端末は、クレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信するクレジット決済サービスのユーザ識別を示す登録番号を含むカード会社情報を自端末内にカード会社毎に登録する第１の登録手段と、前記店舗サーバとのオンラインショッピング取引時に，前記第１の送信手段により前記店舗サーバから受信した前記取引情報と前記第１の登録手段で登録されている前記登録番号と自端末の電話番号とを前記サーバに送信する第２の送信手段と、前記第２の送信手段に対する前記サーバからの要求によりキー入力された第２の暗証番号を前記サーバに返信する返信手段と、を有し、前記サーバは、クレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とを登録する第２の登録手段と、前記店舗サーバとのオンラインショッピング取引時に前記第２の送信手段により前記取引情報と前記登録番号と前記電話番号とを前記携帯端末から受信すると受信した前記登録番号および前記電話番号のそれぞれの内容と前記第２の登録手段で登録されている内容との照合を行う照合手段と、前記照合手段により適正と判断された場合に暗証番号の入力を前記携帯端末に要求する要求手段と、前記要求手段に基づいて受信した前記第２の暗証番号と前記第２の登録手段で登録されている前記第１の暗証番号とを照合することで暗証番号を認証する認証手段と、前記認証手段により適切であると認証された場合に前記取引情報を基に前記第２の登録手段で登録されている前記クレジット番号による取引の決済を行う決済手段と、を有することを特徴としている。
【００２２】
更に、上記の第５の携帯端末によるクレジット決済システムにおいて、前記携帯端末は、自端末内にカード会社共通のパスワードを格納する手段を有し、前記携帯端末は、クレジット決済サービスを受けるときにユーザにパスワードを入力させ前記カード会社共通のパスワードとの照合を行う第２の照合手段と、前記第２の照合手段で照合が一致すれば、前記店舗サーバからの前記取引情報を受信する受信手段と、を有することを特徴としている。
【００２３】
また、本発明の第６の携帯端末によるクレジット決済システムは、ユーザの携帯端末を用いて取引利用時のクレジットの決済を行う携帯端末によるクレジット決済システムであって、ＩＣカードを登載した前記携帯端末と、クレジット決済サービスを行うサーバと、前記サーバとオンラインショッピングのサービスを行う店舗サーバとをインターネットで接続する接続手段を備え、前記ＩＣカードは、カード会社毎の登録番号を含むカード会社情報を格納するエリアを有し、前記店舗サーバは、ユーザとのオンラインショッピング取引時における取引情報を前記携帯端末に送信する第１の送信手段を有し、前記携帯端末は、クレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信する前記登録番号を含むカード会社情報を前記ＩＣカードにカード会社毎に登録する第１の登録手段と、前記店舗サーバとのオンラインショッピング取引時に，前記第１の送信手段により前記店舗サーバから受信した前記取引情報と前記ＩＣカードに登録されている前記登録番号と自端末の電話番号とを前記サーバに送信する第２の送信手段と、前記第２の送信手段に対する前記サーバからの要求によりキー入力された第２の暗証番号を前記サーバに返信する返信手段と、を有し、前記サーバは、クレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とを登録する第２の登録手段と、前記店舗サーバとのオンラインショッピング取引時に前記第２の送信手段により前記取引情報と前記登録番号と前記電話番号とを前記携帯端末から受信すると受信した前記登録番号および前記電話番号のそれぞれの内容と前記第２の登録手段で登録されている内容との照合を行う照合手段と、前記照合手段により適正と判断された場合に暗証番号の入力を前記携帯端末に要求する要求手段と、前記要求手段に基づいて受信した前記第２の暗証番号と前記第２の登録手段で登録されている前記第１の暗証番号とを照合することで暗証番号を認証する認証手段と、前記認証手段により適切であると認証された場合に前記取引情報を基に前記第２の登録手段で登録されている前記クレジット番号による取引の決済を行う決済手段と、を有することを特徴としている。
【００２４】
更に、上記の第６の携帯端末によるクレジット決済システムにおいて、前記ＩＣカードは、カード会社共通のパスワードを格納する手段を有し、前記携帯端末は、クレジット決済サービスを受けるときにユーザにパスワードを入力させ前記カード会社共通のパスワードとの照合を行う第２の照合手段と、前記第２の照合手段で照合が一致すれば、前記店舗サーバからの前記取引情報を受信する受信手段と、を有することを特徴としている。
【００２５】
更に、上記の第１〜第６の携帯端末によるクレジット決済システムにおいて、前記カード会社情報は、前記サーバへの接続情報を含むことを特徴としている。
【００２６】
また、本発明の第１のクレジット決裁サーバは、インターネットによるユーザの携帯端末を用いたショッピング取引利用時にクレジット決済を行うクレジット決済サーバであって、クレジット決済サービス利用のユーザに発行した第１の登録番号毎に第１の電話番号と前記登録番号に対する第１の暗証番号とユーザ利用のクレジット番号とを登録する登録手段と、ショッピング取引利用時にユーザが取引した取引情報と第２の登録番号と第２の電話番号とを前記携帯端末から受信すると前記第２の登録番号および前記第２の電話番号のそれぞれの内容が前記登録手段で登録されている前記第１の登録番号および前記第１の電話番号と一致するかの照合を行う照合手段と、前記照合手段により適正と判断された場合に前記携帯端末に対して暗証番号の入力を要求する要求手段と、前記要求手段に基づいて受信した前記第２の暗証番号が前記登録手段で登録されている前記第１の暗証番号と一致するかの照合を行うことで認証を行う認証手段と、前記認証手段により適切であると認証された場合に前記取引情報を基に前記登録手段で登録されている前記クレジット番号で取引の決済を行う決済手段と、を有することを特徴としている。
【００２７】
また、本発明の第２のクレジット決済サーバは、インターネットによるユーザの携帯端末を用いたショッピング取引利用時にクレジット決済を行うクレジット決済サーバであって、クレジット決済サービスの契約時に伴うユーザ登録時に前記携帯端末からユーザ利用のクレジット番号と前記携帯端末自身の第１の電話番号とを含む登録要求情報を受信すると前記携帯端末にクレジット決済サービス使用時に使用する暗証番号の入力を要求する要求手段と、前記要求手段に伴って入力された第１の暗証番号を前記携帯端末から受信するとクレジット決済サービスの第１の登録番号を発行しその発行した第１の登録番号毎に前記登録要求情報と前記第１の暗証番号とを登録する登録手段と、前記登録手段に伴って発行した前記第１の登録番号を前記携帯端末に送信することで前記携帯端末に前記第１の登録番号を管理させる管理手段と、ショッピング取引利用時にユーザが取引した取引情報と第２の登録番号と第２の電話番号とを前記携帯端末から受信すると前記第２の登録番号および前記第２の電話番号のそれぞれの内容が前記登録手段で登録されている前記第１の登録番号および前記第１の電話番号と一致するかの照合を行う照合手段と、前記照合手段により適正と判断された場合に前記携帯端末に対して暗証番号の入力を要求する要求手段と、前記要求手段に基づいて受信した前記第２の暗証番号が前記登録手段で登録されている前記第１の暗証番号と一致するかの照合を行うことで認証を行う認証手段と、前記認証手段により適切であると認証された場合に前記取引情報を基に前記登録手段で登録されている前記クレジット番号で取引の決済を行う決済手段と、を有することを特徴としている。
【００２８】
また、本発明の第１の携帯端末によるクレジット決済方法は、ユーザの携帯端末を用いて取引利用時のクレジットの決済を行う携帯端末によるクレジット決済方法であって、前記携帯端末とクレジット決済サービスを行うサーバとを接続する第１のネットワークと、前記サーバと前記店舗端末とを接続する第２のネットワークと、前記携帯端末とレジで取引情報を入力する店舗端末とを接続する第３のネットワークと、を準備し、前記携帯端末内にクレジット会社毎にクレジット決済サービスを契約したカード会社の第１の登録番号を含む会社情報を予め登録し、前記サーバにクレジット決済サービスを契約したユーザの第２の登録番号毎に第２の暗証番号と第２の電話番号とクレジット番号とを含むユーザ情報を予め登録したデータベースを管理させ、前記店舗端末がユーザとの取引情報を前記携帯端末に送信するステップと、前記店舗端末が前記サーバから完了通知を受信すると利用明細を出力するステップと、前記携帯端末が前記店舗端末から受信した前記取引情報と自端末内に登録された前記第１の登録番号と自端末の第１の電話番号とを前記サーバに送信するステップと、前記携帯端末が前記サーバに送信するステップに対する前記サーバからの要求によりキー入力された第１の暗証番号を前記サーバに送信するステップと、前記サーバが店舗での取引時に前記取引情報と前記第１の登録番号と前記第１の電話番号とを前記携帯端末から受信すると受信した前記第１の登録番号および前記第１の電話番号と前記前記データベースに登録されている前記第２の登録番号および前記第２の電話番号との照合を行うステップと、前記サーバが照合の結果適正と判断された場合に暗証番号の入力を前記携帯端末に要求するステップと、前記サーバが前記要求するステップに基づいて受信した前記第１の暗証番号と前記データベースに登録されている前記第２の暗証番号とを照合することで暗証番号を認証するステップと、前記サーバが前記認証するステップにより適切であると認証された場合に前記取引情報を基に前記クレジット番号による取引の決済を行うステップと、前記サーバが前記取引の決済を終えると前記携帯端末と前記店舗端末とに前記完了通知を行うステップと、を含むことを特徴としている。
【００２９】
更に、上記の第１の携帯端末によるクレジット決済方法において、前記携帯端末内に予めカード会社共通のパスワードを登録させ、前記携帯端末がクレジット決済サービスを受けるときにユーザにパスワードを入力させ前記カード会社共通のパスワードとの照合を行うステップと、前記携帯端末が前記カード会社共通のパスワードとの照合が一致すれば前記店舗端末からの前記取引情報を受信するステップと、を含むことを特徴としている。
【００３０】
更に、上記の第２の携帯端末によるクレジット決済方法は、ユーザの携帯端末を用いて取引利用時のクレジットの決済を行う携帯端末によるクレジット決済方法であって、前記携帯端末と、クレジット決済サービスを行うサーバと、オンラインショッピングのサービスを行う店舗サーバとを接続するネットワークを準備し、前記携帯端末内にクレジット会社毎にクレジット決済サービスを契約したカード会社の第１の登録番号を含む会社情報を予め登録し、前記サーバにクレジット決済サービスを契約したユーザの第２の登録番号毎に第２の暗証番号と第２の電話番号とクレジット番号とを含むユーザ情報を予め登録したデータベースを管理させ、前記店舗サーバがユーザとのオンラインショッピング取引時における取引情報を前記携帯端末に送信するステップと、前記携帯端末が前記店舗サーバとのオンラインショッピング取引時に，前記店舗サーバから受信した前記取引情報と自端末内に登録されている第１の登録番号と自端末の第１の電話番号とを前記サーバに送信するステップと、前記携帯端末が前記サーバに送信するステップに対する前記サーバからの要求によりキー入力された第１の暗証番号を前記サーバに送信するステップと、前記サーバが前記店舗サーバとのオンラインショッピング取引時に前記取引情報と前記第１の登録番号と前記第１の電話番号とを前記携帯端末から受信すると受信した前記第１の電話番号および前記第１の登録番号と前記データベースに登録されている第２の電話番号および前記第２の登録番号との照合を行うステップと、前記サーバが照合の結果適正と判断した場合に暗証番号の入力を前記携帯端末に要求するステップと、前記サーバが前記要求するステップに基づいて受信した前記第１の暗証番号と前記データベースに登録されている前記第２の暗証番号とを照合することで暗証番号を認証するステップと、前記サーバが前記認証するステップにより適切であると認証された場合に前記取引情報を基に前記データベースに登録されている前記クレジット番号による取引の決済を行うステップと、を有することを特徴としている。
【００３１】
更に、上記の第２の携帯端末によるクレジット決済方法において、前記携帯端末内に予めカード会社共通のパスワードを登録させ、前記携帯端末がクレジット決済サービスを受けるときにユーザにパスワードを入力させ前記カード会社共通のパスワードとの照合を行うステップと、前記携帯端末が前記カード会社共通のパスワードとの照合が一致すれば前記店舗サーバからの前記取引情報を受信するステップと、を含むことを特徴としている。
【００３２】
また、本発明の第３の携帯端末によるクレジット決済方法は、ユーザの携帯端末を用いて取引利用時のクレジットの決済を行う携帯端末によるクレジット決済方法であって、前記携帯端末とクレジット決済サービスを行うサーバとを接続する第１のネットワークと、前記サーバと前記店舗端末とを接続する第２のネットワークと、前記携帯端末とレジで取引情報を入力する店舗端末とを接続する第３のネットワークと、を準備し、前記店舗端末がユーザとの取引情報を前記携帯端末に送信するステップと、前記携帯端末が前記サーバから完了通知を受信すると利用明細を出力するステップと、前記携帯端末がクレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信するクレジット決済サービスのユーザ識別を示す登録番号を含むカード会社情報を自端末内にカード会社毎に登録するステップと、前記携帯端末が店舗での取引時に，前記店舗端末から受信した前記取引情報と自端末内に登録されている前記登録番号と自端末の電話番号とを前記サーバに送信するステップと、前記携帯端末が前記サーバに送信するステップに対する前記サーバからの要求によりキー入力された第２の暗証番号を前記サーバに返信するステップと、前記サーバがクレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とをデータベースに登録するステップと、前記サーバが店舗での取引時に前記取引情報と前記登録番号と前記電話番号とを前記携帯端末から受信すると受信した前記登録番号および前記電話番号のそれぞれの内容と前記データベースに登録されている内容との照合を行うステップと、前記サーバが前記照合の結果適正と判断された場合に暗証番号の入力を前記携帯端末に要求するステップと、前記サーバが前記要求するステップに基づいて受信した前記第２の暗証番号と前記データベースの登録されている前記第１の暗証番号とを照合することで暗証番号を認証するステップと、前記サーバが前記認証するステップにより適切であると認証された場合に前記取引情報を基に前記データベースに登録されている前記クレジット番号による取引の決済を行うステップと、前記取引の決済を終えると前記携帯端末と前記店舗端末とに前記完了通知を行うステップと、を有することを特徴としている。
【００３３】
更に、上記の第３の携帯端末によるクレジット決済方法において、前記携帯端が自端末内にカード会社共通のパスワードを予め登録するステップと、前記携帯端末がクレジット決済サービスを受けるときにユーザにパスワードを入力させ前記カード会社共通のパスワードとの照合を行うステップと、前記端末が前記カード会社共通のパスワードとの照合で一致すれば前記店舗端末からの前記取引情報を受信するステップと、を含むことを特徴としている。
【００３４】
また、本発明の第４の携帯端末によるクレジット決済方法は、ユーザの携帯端末を用いて取引利用時のクレジットの決済を行う携帯端末によるクレジット決済方法であって、前記携帯端末と、クレジット決済サービスを行うサーバと、オンラインショッピングのサービスを行う店舗サーバとを接続するネットワークを準備し、前記店舗サーバは、ユーザとのオンラインショッピング取引時における取引情報を前記携帯端末に送信するステップと、前記携帯端末がクレジット決済サービス契約に伴うユーザ登録時に，入力されたユーザ利用のクレジット番号と自端末の電話番号とクレジット決済サービス使用時に使用する入力された第１の暗証番号とを前記サーバに送信することで前記サーバから受信するクレジット決済サービスのユーザ識別を示す登録番号を含むカード会社情報を自端末内にカード会社毎に登録するステップと、前記携帯端末が前記店舗サーバとのオンラインショッピング取引時に，前記店舗サーバから受信した前記取引情報と前記第１の登録手段で登録された前記登録番号および自端末の電話番号とを前記サーバに送信するステップと、前記携帯端末が前記送信手段に対する前記サーバからの要求によりキー入力された第２の暗証番号を前記サーバに送信するステップと、前記サーバがクレジット決済サービスの契約に伴うユーザ登録時に前記携帯端末から前記クレジット番号と前記電話番号と前記第１の暗証番号とを受信すると前記登録番号を発生し前記携帯端末に送信すると共に前記登録番号毎に前記クレジット番号と前記電話番号と前記第１の暗証番号とをデータベースに登録するステップと、前記サーバが前記店舗サーバとのオンラインショッピング取引時に前記取引情報と前記登録番号および前記電話番号とを前記携帯端末から受信すると受信した前記登録番号および前記電話番号のそれぞれの内容と前記データベースに登録されている内容との照合を行うステップと、前記サーバが前記照合の結果適正と判断された場合に暗証番号の入力を前記携帯端末に要求するステップと、前記サーバが前記要求するステップに基づいて受信した前記第２の暗証番号と前記第１の暗証番号とを照合することで暗証番号を認証するステップと、前記サーバが認証するステップにより適切であると認証された場合に前記取引情報を基に前記データベースに登録されている前記クレジット番号による取引の決済を行うステップと、を含むことを特徴としている。する携帯端末によるクレジット決済方法。
【００３５】
更に、上記の第４の携帯端末によるクレジット決済方法において、前記携帯端末が自端末内にカード会社共通のパスワードを予め登録するステップと、前記携帯端末がクレジット決済サービスを受けるときにユーザにパスワードを入力させ前記カード会社共通のパスワードとの照合を行うステップと、前記携帯端末が前記カード会社共通のパスワードとの照合で一致すれば、前記店舗サーバからの前記取引情報を受信するステップと、を含むことを特徴としている。
【００３６】
更に、上記の第１〜第４の携帯端末によるクレジット決済方法において、前記携帯端末内に搭載できるＩＣカード内に前記カード会社情報を登録することを特徴としている。
【００３７】
更に、上記の第１〜第４の携帯端末によるクレジット決済方法において、前記携帯端末内の不揮発性のメモリに前記カード会社情報を登録することを特徴としている。
【００３８】
更に、上記の第１〜第４の携帯端末によるクレジット決済方法において、前記カード会社情報は、前記サーバへの接続情報を含むことを特徴としている。
【００３９】
また、本発明の第１のプログラムは、コンピュータに、クレジット決済サービス利用のユーザに発行した第１の登録番号毎に携帯端末の第１の電話番号と前記第１の登録番号に対する前記第１の暗証番号とユーザ利用のクレジット番号とをデータベースに登録するステップと、ショッピング取引利用時にユーザが取引した取引情報と第２の登録番号と第２の電話番号とを前記携帯端末から受信すると前記第２の登録番号および前記第２の電話番号のそれぞれの内容が前記データベースに登録されている前記第１の登録番号および前記第１の電話番号と一致するかの照合を行うステップと、前記照合により適正と判断された場合に前記携帯端末に対して暗証番号の入力を要求するステップと、前記要求に基づいて受信した前記第２の暗証番号が前記データベースに登録されている前記第１の暗証番号と一致するかの照合を行うことで認証を行うステップと、前記認証により適切であると判断した場合に前記取引情報を基に前記データベースに登録されている前記クレジット番号で取引の決済を行うステップと、を含む処理を実行させる。
【００４０】
また、本発明の第２のプログラムは、コンピュータに、クレジット決済サービスの契約時に伴うユーザ登録時に前記携帯端末からユーザ利用のクレジット番号と前記携帯端末自身の第１の電話番号とを含む登録要求情報を受信すると前記携帯端末にクレジット決済サービス使用時に使用する暗証番号の入力を要求するステップと、前記要求に基づいて入力された第１の暗証番号を前記携帯端末から受信するとクレジット決済サービスの第１の登録番号を発行しその発行した第１の登録番号毎に前記登録要求情報と前記第１の暗証番号とをデータベースに登録するステップと、前記発行した前記第１の登録番号を前記携帯端末に送信することで前記携帯端末に前記第１の登録番号を管理させるステップと、ショッピング取引利用時にユーザが取引した取引情報と第２の登録番号と第２の電話番号とを前記携帯端末から受信すると前記第２の登録番号および前記第２の電話番号のそれぞれの内容が前記データベースに登録されている前記第１の登録番号および前記第１の電話番号と一致するかの照合を行うステップと、前記照合により適正と判断された場合に前記携帯端末に対して暗証番号の入力を要求するステップと、前記要求に基づいて受信した前記第２の暗証番号が前記データベースに登録されている前記第１の暗証番号と一致するかの照合を行うことで認証を行うステップと、前記認証により適切であると判断した場合に前記取引情報を基に前記データベースに登録されている前記クレジット番号で取引の決済を行うステップと、を含む処理を実行させる。
【００４１】
【発明の実施の形態】
次に、本発明の第１の実施の形態について、図面を参照して、説明する。
【００４２】
図１を参照すると、本発明の第１の実施の形態は、ＩＣチップを搭載したＵＩＭカード１と、ＵＩＭカード１を実装することができＵＩＭカード１に格納された情報を読み取る携帯電話である携帯端末２と、カード会社（この場合銀行でも良いし、カード会社および銀行の代行を行う代行業者等でも良い）が管理しているサーバ３と、販売店に設置されている店舗端末４と、カード管理サーバ５と、オンラインショッピングのサービスを行う店舗サーバ６と、携帯電話網である携帯電話網９０１と、インターネットであるネットワーク９０２とから構成される。なお、携帯端末２とサーバ３とは、携帯電話網９０１およびネットワーク９０２を介して接続され、店舗端末４とサーバ３と管理サーバ５と店舗サーバ６とは、ネットワーク９０２を介して接続されている。また、携帯端末２および店舗端末４は、赤外線で送受信を行うインタフェース回路を備えており、その赤外線を介して携帯端末２と店舗端末４とのデータのやり取りを行う。この場合、できる限り赤外線がもれないように、店舗端末４の赤外線の送受光部に携帯電話２の送受光部を近づけ易い構造になっている。従って、購入情報（購入情報については、下記で説明）を携帯端末２に送信する場合は、携帯端末２の送受光部を店舗端末４の送受光部に近づける。
【００４３】
サーバ３は、図示していないプロセッサ（ＣＰＵ）によりプログラム制御で動作する制御部３１と、ネットワーク９０１とのデータのやり取りを行うインタフェース３２と、ＵＩＭカードによるサービスを行うためのプログラムを格納した記憶部３３と、ユーザ情報を保存するユーザ情報データベース３４と、決済情報データベース３５と、ページ情報データベース３６とから構成されている。従って、サーバ３の立ち上げ時に、制御部３１は、不揮発性の記録媒体装置（例えば、磁気ディスク）である記憶部３３に格納されたプログラムを図示していないメモリ（例えば、ＲＡＭ）に展開し、立ち上げ後、その展開されたプログラムを実行することにより、クレジット決済サービスを行う。すなわち、サーバ３は、サーバ、パーソナルコンピュータ等のコンピュータであって、このコンピュータが記憶部３３に格納されたプログラムを実行することにより、クレジット決済サービスを行うことになる。
【００４４】
ユーザ情報データベース３４は、図示していない不揮発性の記録媒体装置（例えば、磁気ディスク）内のエリアに割り当てられている。このユーザ情報データベース３４には、クレジット決済サービスをクレジット決済サービスを契約したユーザの登録番号毎に、ユーザの識別情報と利用する登録番号と、ＵＩＭカードを契約したユーザの識別番号であるユーザＩＤ、ユーザの電話番号、ＵＩＭカードの識別番号であるＩＣカードＩＤ、ＩＣカードの製造番号であるカード製造番号、ユーザの暗証番号、ユーザの住所、男女の識別情報、年齢等のユーザ情報が登録されている。
【００４５】
決済情報データベース３５は、図示していない不揮発性の記録媒体装置（例えば、磁気ディスク）内のエリアに割り当てられている。この決済情報データベース３５には、制御部３１が決済処理を行う場合に、ユーザ毎に、ユーザの登録番号、購入された品物の情報（購入日、品物名、品物毎の金額、支払い金額等）等の決済情報が格納される。
【００４６】
ページ情報データベース３６は、図示していない不揮発性の記録媒体装置（例えば、磁気ディスク）内のエリアに割り当てられている。このページ情報データベース３６には、携帯端末２の画面に表示するための情報が格納されている。
【００４７】
ＵＩＭカード１は、ＣＰＵ（プロセッサ）、ＯＳ、不揮発性メモリ（例えば、ＥＥＰＲＯＭ）、ＲＡＭを内蔵したＩＣカードで、携帯電話１に実装して利用される。ＵＩＭとは、Ｕｓｅｒ  Ｉｄｅｎｔｉｔｙ  Ｍｏｄｕｌｅの略である。ＵＩＭカード１内の不揮発性メモリ内には、図２に示すオペレータ関連情報を格納するエリアが、図３に示すカード会社関連情報を格納するエリアが、それぞれ割り当てられている。更に、カード会社関連情報エリアには、カード会社情報を格納するエリアと、クレジット決済サービスパスワード情報（パスワード）を格納するエリアとが、それぞれ割り当てられている。なお、本第１の実施形態では、ＩＣカードとしてＵＩＭカードを利用するが、ＵＩＭカードに限定するものではなく、その他ＩＣカード（例えば、ＳＩＭカード等）でも良い。
【００４８】
図２を参照すると、ＵＩＭカード１内のオペレータ関連情報は、ユーザＩＤとユーザ自身の電話番号とＩＣカードＩＤとカード製造番号とが、携帯電話会社との契約時に登録されている。
【００４９】
図３を参照すると、ＵＩＭカード１内のカード会社情報は、クレジット会社、銀行等とＵＩＭカードによるクレジット決済サービスの契約（サーバへのユーザ登録）をした場合に、登録した会社毎にカード会社の識別を示すカード会社ＩＤ、サーバ３への接続情報を示すＵＲＬ（ＵＲＬ：Ｕｎｉｆｏｒｍ  Ｒｅｓｏｕｒｃｅ  Ｌｏｃａｔｏｒ）アドレス、クレジット決済サービスの利用者（ユーザ）の識別を示す登録番号の各エリアに登録される。ＵＩＭカード１内のパスワードは、各会社共通であって、初めてクレジット決済サービスの契約をした場合に登録され、クレジット決済サービスを利用する場合に使用される。
【００５０】
携帯端末２は、サーバ３と接続して通信を行うために、インターネット接続プログラム（例えば、携帯電話のｉモードなどで使用するコンパクトＨＴＭＬのブラウザ）を有している。
【００５１】
カード管理サーバ５は、データベース（例えば、磁気ディスク等の記憶部内のエリアに確保されている）にカード番号毎に暗証番号、使用可能の有無等を登録しており、サーバ３からの依頼により、クレジット番号の認証のチェックを行う。なお、この場合の本発明におけるクレジット番号とは、クレジット会社発行のクレジットカードを使用する場合はクレジットカード番号を示し、銀行の通帳またはキャッシュカード（デビットカードを含む）を使用する場合は口座番号（キャッシュカード番号）を示し、以降の説明では、特に指定しない限り、クレジット番号と称す。従って、サーバ３は、クレジット会社および銀行の発行するカード（または通帳）の両方に対応することができる。
【００５２】
次に、図１〜図７を参照して、本発明の第１の実施の形態の動作について説明する。
【００５３】
先ず、クレジット決済サービスを提供するクレジット会社、銀行等（以降、カード会社呼ぶ）とクレジット決済サービスを受けるために、ユーザは、カード会社のサーバにアクセスするために、携帯端末２のメニュー画面からあるカード会社のＵＲＬアドレス（この場合、ホームページのトップのアドレス）をキー入力し実行すると、携帯端末２は、カード会社のサイトであるサーバ３に携帯電話網９０１およびネットワーク９０２を介して接続しアクセスする（図２のステップＳ１０１）。
【００５４】
インタフェース３２を介してアクセスを受けたサーバ３の制御部３１は、メニュー画面情報（「新規ユーザ登録」ボタンを含む）をページ情報データベース３６から読み出し、携帯端末２に送信する（ステップＳ１２１）。
【００５５】
すると、携帯端末２は、受信したメニュー画面情報を基にメニュー画面を表示する。ユーザが「新規ユーザ登録」をキー操作により選択し実行すると、携帯端末２は、選択した「新規ユーザ登録」をユーザ登録要求情報としてサーバ３に送信する（ステップＳ１０２，Ｓ１０３）。
【００５６】
インタフェース３２を介してユーザ登録要求情報を受信したサーバ３の制御部３１は、ユーザ登録入力画面情報をページ情報データベース３６から読出して携帯端末２に送信する（ステップＳ１２２）。
【００５７】
携帯端末２は、受信した登録入力画面情報を基にユーザ登録入力画面を表示し、ユーザに対して登録に必要な事項を入力させる。この場合必要な事項とは、クレジット番号、クレジット番号に対応する暗証番号、カードの登録者名、住所等の入力情報をいう。ユーザによるキー入力が終わり実行されると、携帯端末２は、ＵＩＭカード１内のオペレータ関連情報を読み出し、読み出したオペレータ関連情報と入力された入力情報とをユーザ登録情報としてサーバ３に送信する（ステップＳ１０４，Ｓ１０５）。
【００５８】
インタフェース３２を介してユーザ登録情報を受信したサーバ３の制御部３１は、ユーザ登録情報を図示していないメモリ（例えば、ＲＡＭ）に一時的に保存し、ユーザ登録情報の入力事項のチェック（入力漏れのチェック）を行うと共に、ネットワーク９０２を介してクレジット番号と暗証番号の正当性のチェック（クレジット番号とその暗証番号がカード管理サーバ５に使用可能なカードとして登録されているか）を行う。不正があれば、制御部３１は、記入漏れによる再入力の指摘、暗証番号否認、カードの否認等を携帯端末２に行い、入力事項の不正（記入漏れ、暗証番号不正、カード不正）がなくなるまで３回の範囲で入力事項のチェックを繰り返す。記入漏れがなければ、制御部３１は、暗証番号入力画面情報をページ情報データベース３６から読出して携帯端末２に送信する（ステップＳ１２３〜Ｓ１２６）。
【００５９】
サーバ３のステップＳ１２４の処理により、不正による再入力の指摘を受けた携帯端末２は、再度ステップＳ１０４に戻り、不正のあったこと（受付けられない理由）を画面に表示し、ユーザに登録入力画面への再入力を促す（ステップＳ１０４）。
【００６０】
一方、サーバ３のステップＳ１２７の処理により、携帯端末２は、受信した暗証番号入力画面情報を基に暗証番号入力画面を表示し、ユーザにＵＩＭカード使用のための暗証番号の入力を促す。ユーザが暗証番号をキー入力し実行すると、携帯端末２は、入力された暗証番号情報をサーバ３に送信する（ステップＳ１０６）。
【００６１】
インタフェース３２を介して暗証番号を受信したサーバ３の制御部３１は、ユーザ情報データベース３４に登録されていないユーザの登録番号（クレジット決済サービスのユーザ識別を示す）を自動発生し、ユーザ情報データベース３４に自動発生したユーザの登録番号と受信した暗証番号と先に受信したユーザ登録情報をユーザ情報データベース３４に保存する。すなわち、ユーザ情報データベース３４には、ユーザの登録番号毎にユーザ登録情報と暗証番号とが登録されることになる。更に、制御部３１は、カード会社ＩＤとＵＲＬアドレスとユーザの登録番号とを含むカード会社情報を携帯端末２に送信して終了する（ステップＳ１２８，Ｓ１２９）。
【００６２】
携帯端末２は、受信したカード会社ＩＤとＵＲＬアドレスとユーザの登録番号とを、携帯端末２の図示していないメモリ（例えば、ＲＡＭ）に一時的に保存する。更に、携帯端末２は、パスワードの入力画面を表示し、ユーザにパスワードを入力させる。ユーザがパスワードをキー入力すると、携帯端末２は、ＵＩＭカード１内のカード会社関連情報のパスワード欄が空欄であれば、新規とみなし、入力されたパスワードと、一時的に保存してあるカード会社ＩＤとＵＲＬアドレスとユーザの登録番号とをＵＩＭカード１内のカード会社情報のエリアに登録して終了する（ステップＳ１０９，Ｓ１１０，Ｓ１１３）。
【００６３】
一方、ステップＳ１０９において、すでに登録されていれば、携帯端末２は、入力されたパスワードとすでに登録されているパスワードとの照合を行い、一致していれば、先に受信しメモリに一時的に保存してあるカード会社ＩＤとＵＲＬアドレスとユーザの登録番号とをＵＩＭカード１内のカード会社情報のエリアに登録して終了する（ステップＳ１１１，Ｓ１１３）。
【００６４】
ステップＳ１１１において、パスワードが一致していなければ、携帯端末２は、３回まで再度パスワードの入力を促し、３回とも失敗すると、登録しないでそのまま終了する（ステップＳ１１２）。
【００６５】
次にユーザ登録が済み、店舗においてクレジット決済サービスを利用したショッピングをする場合、ユーザは、購入する品物をレジに持っていき、携帯端末２のメニュー画面から、例えば、「クレジット決済サービス」でかつ「購入」を選択すると、携帯端末２は、パスワード入力画面を表示する。パスワードがキー入力されると、携帯端末２は、入力されたパスワードとＵＩＭカード１のカード会社関連情報エリアに登録されているパスワードとの照合を行い、一致していなければ３回までの許容範囲でパスワードの再入力をユーザに促す（図６のステップＳ２２１〜Ｓ２２３）。
【００６６】
ステップＳ２２３において、一致していれば、携帯端末２は、ユーザにオンラインショッピングか店舗購入かの選択をさせるための選択画面を表示する（ステップＳ２２４，Ｓ２２５）。
【００６７】
ユーザが店舗購入を選択すれば、携帯端末２は、レジの店舗端末４から購入情報を受信するまでスタンバイ状態になる（ステップＳ２２６）。
【００６８】
一方、店員がレジで購入された商品の値段を店舗端末４に入力すると、店舗端末４は、入力された商品の価格一覧、合計金額、店舗名、店舗端末４のアドレス等を含む購入情報を携帯端末２に向けて送信する（図５のステップＳ２０１，Ｓ２０２）。この場合の店舗名および店舗端末４のアドレスは、予め店舗端末４内に格納されており、店舗端末４のアドレスは、サーバ３からアクセスする場合に利用される。
【００６９】
携帯端末２は、受信した購入情報を基に価格一覧および合計金額を表示する(例えば、単品の場合は図８を参照)。ユーザは、表示された内容を確認し、問題なければ、例えば、表示されているＯＫボタンをキー操作により選択し実行すると、携帯端末２は、ＵＩＭカード１から登録されている全てのカード会社ＩＤを読み出しカード会社一覧として表示し、決済処理を希望するカード会社をカード会社一覧からユーザに選択させる。ユーザが表示されているカード会社ＩＤ一覧から希望するカード会社ＩＤをキー操作により選択して実行すると、携帯端末２は、選択されたカード会社ＩＤに該当するＵＲＬアドレスをＵＩＭカード１内のカード会社情報から読み出してそのＵＲＬアドレスに該当するサーバ３に携帯電話網９０１およびネットワーク９０２を介して接続し、ＵＩＭカード１内のオペレータ関連情報およびカード会社情報（この場合は選択されたカード会社ＩＤと登録番号）と、受信した購入情報とをサーバ３に送信し、ユーザ登録の確認を受ける（図６のステップＳ２２７〜Ｓ２３１）。
【００７０】
インタフェース３２を介して携帯端末２からオペレータ関連情報とカード会社情報と購入情報とを受信したサーバ３の制御部３１は、一時的に図示していないメモリに保存し、受信した登録番号とオペレータ関連情報（ユーザＩＤ、電話番号、ＩＣカードＩＤ，カード製造番号）とがデータベース３４に登録されているかを、登録番号をキーとして検索（全て一致するかをチェック）し、登録されていれば、ページ情報データベース３６から暗証番号入力画面情報を読み出して携帯端末２に送信する（図７のステップＳ２５１〜Ｓ２５３）。なお、オペレータ関連情報全てチェックの対象としたが、オペレータ関連情報のうちの１つでも良いし、複数であっても良い。
【００７１】
携帯端末２は、受信した暗証番号入力画面情報を基に暗証番号入力画面を表示する。ユーザが暗証番号をキー入力すると、携帯端末２は、入力された暗証番号をサーバ３に送信する（図６のステップＳ２３２，Ｓ２３３）。
【００７２】
インタフェース３２を介して暗証番号を受信したサーバ３の制御部３１は、先に受信した登録番号をベースにユーザ情報データベース３４を検索し、一致した登録番号に該当する暗証番号と受信した暗証番号との照合を行う。一致しなければ、制御部３１は、３回の入力許可範囲で暗証番号の再入力を依頼することで照合が一致するまでＳ２５３〜Ｓ２５５を繰り返す（図７のステップＳ２５３〜Ｓ２５５，Ｓ２５８）。
【００７３】
ステップＳ２５５において、一致すれば（照合が取れれば）、サーバ３の制御部３１は、先に受信した購入情報と登録番号とを基に、ユーザ情報データベース３４に格納されており登録番号に対応するクレジット番号により決済処理を行う。更に、制御部３１は、完了通知を携帯端末２に送信すると共に、先に受信した購入情報の店舗端末４のアドレス情報を基にネットワーク９０２を介して店舗端末４にも完了通知を送信して、終了する（ステップＳ２５６，Ｓ２５７）。なお、この場合、制御部３１は、ネットワーク９０２（インターネット）を介して店舗のサーバに完了通知を送信し、その店舗のサーバから専用回線（または電話回線、またはＬＡＮ）で店舗端末４に完了通知を送信させるようにしても良い。
【００７４】
ステップＳ２５８において、３回目の照合不一致であれば、暗証番号の否認通知を携帯端末２に送信すると共に、先に受信した購入情報の店舗端末のアドレス情報を基に店舗端末４にも暗証番号の否認通知を送信して、終了する（ステップＳ２５９）。
【００７５】
一方、ステップＳ２０４において、サーバ３から完了通知を受信すれば、店舗端末４は、レシート（利用明細）を発行して終了する。サーバ３から不在通知情報を受信すれば、店舗端末４は、受信した不在通知を表示して終了する。サーバ３から暗証番号の否認通知情報を受信すれば、店舗端末４は、受信した否認通知を表示して終了する（図５のステップＳ２０６，Ｓ２０７，Ｓ２０５）。
【００７６】
一方、ステップＳ２３４において、サーバ３から完了通知を受信すると、携帯端末２は、完了通知を表示して終了する。サーバ３から暗証番号の否認通知を受信すると、携帯端末２は、否認通知を表示して終了する（図６のステップＳ２３５，Ｓ２３６）。
【００７７】
また、ステップＳ２３１において、サーバ３から不在通知を受信すると、携帯端末２は、不在通知を表示して終了する（ステップＳ２３７）。
【００７８】
次にユーザがオンラインショッピングでクレジット決済サービスを受ける場合の第1の実施の形態の動作について上記の店舗購入と違う点を中心に説明する。
【００７９】
図６のステップＳ２２５において、ユーザが携帯端末２に表示された選択画面からオンラインショッピングを選択すると、携帯端末２は、オンラインショッピングのサイトを選択させる画面を表示する。ユーザは、希望するサイトである店舗サーバ６に接続し、更に画面操作により次から次へと表示される表示画面上の指示に従って、品物を購入すると、店舗サーバ６は、携帯端末２に送信する。購入情報を受信した携帯端末２は、店舗サーバ６から送信された購入情報を表示する(図６のステップＳ２４１，Ｓ２４２)。
【００８０】
ユーザが表示された内容を確認し、問題なければ、ＯＫボタンを選択し、実行すると、ステップＳ２２９にジャンプし、それ以降の図６および図７の動作は、店舗購入時と同じ動作を行うため、説明を省略する。なお、この場合の図７のステップ２５７での完了通知およびステップＳ２５９での否認通知の送信先は、オンラインショッピングを行っている店舗サーバ６である。
【００８１】
上記の第１の実施の形態の説明で、インターネット（携帯電話網９０１、ネットワーク９０２を介する）で登録することで、登録番号をＵＩＭカード１内に登録するようにしたが、例えば、郵送により、クレジット番号、携帯電話番号等のユーザ登録情報を送ることによりカード会社にユーザ登録し、カード会社から登録番号と登録番号に対する暗証番号と、ＵＲＬアドレスを電子メール、郵送等で受け取り、携帯電話２のメニュー画面に従って、ＵＩＭカード１に登録するようにしても良い。この場合、ユーザ登録情報を受け取ったカード会社は、サーバ３のユーザ情報データベース３４に新たに発生した登録番号のユーザ情報として、仮に発生した暗証番号と受け取ったユーザ登録情報を登録する。
【００８２】
次に、本発明の第２の実施の形態について図面を参照して、説明する。
【００８３】
図９を参照すると、本発明の第２の実施の形態は、本発明の第１の実施の形態と比較すると、携帯端末２とＵＩＭカード１とが携帯端末７になった点で相違する。すなわち、携帯端末７は、内蔵されたメモリ６１を有している。メモリ６１は、読出し書込みのできる不揮発性のメモリ（例えば、フラッシュメモリ）であって、メモリ６１には、図１０に示すように携帯端末７自身の電話番号があらかじめ登録された電話番号エリアと、図１１に示すようにカード会社関連情報エリアが割り当てられている。更に、図１１を参照すると、カード会社関連情報には、カード会社情報であるカード会社ＩＤとＵＲＬアドレスと登録番号とパスワードとの各エリアが割り当てられ、クレジット決済サービスパスワード情報であるパスワードのエリアが割り当てられている。各エリアの内容については、第１の実施の形態で説明した図３のＵＩＭカード内のカード会社情報と同じなので説明を省略する。また、それ以外の構成については、第１の実施の形態で示した構成と同じなので説明を省略する。
【００８４】
次に、図９〜図１３、図５、および図７を参照して、第２の実施の形態の動作について説明する。なお、図５および図７のフローチャートについては、第１の実施の形態で示す動作と同じであり、図１２のフローチャート内のサーバの動作については、第１の実施の形態で示す動作と同じである。
【００８５】
先ず、クレジット決済サービスを提供するクレジット会社、銀行等（以降、カード会社呼ぶ）からクレジット決済サービスを受けるために、ユーザは、カード会社のサーバにアクセスするために、携帯端末７のメニュー画面からあるカード会社のＵＲＬアドレス（この場合、ホームページのトップのアドレス）をキー入力し実行すると、携帯端末７は、カード会社のサイトであるサーバ３に携帯電話網９０１およびネットワーク９０２を介して接続しアクセスする（図１２のステップＳ３０１）。
【００８６】
インタフェース３２を介してアクセスを受けたサーバ３の制御部３１は、メニュー画面情報（「新規ユーザ登録」ボタンを含む）をページ情報データベース３６から読み出し、携帯端末７に送信する（ステップＳ３２１）。
【００８７】
すると、携帯端末７は、受信したメニュー画面情報を基にメニュー画面を表示する。ユーザが「新規ユーザ登録」をキー操作により選択し実行すると、携帯端末７は、選択された「新規ユーザ登録」をユーザ登録要求情報としてサーバ３に送信する（ステップＳ３０２，Ｓ３０３）。
【００８８】
インタフェース３２を介してユーザ登録要求情報を受信したサーバ３の制御部３１は、ユーザ登録入力画面情報をページ情報データベース３６から読出して携帯端末７に送信する（ステップＳ３２２）。
【００８９】
携帯端末７は、受信した登録入力画面情報を基にユーザ登録入力画面を表示し、ユーザに対して登録に必要な事項を入力させる。ユーザによるキー入力が終わり実行されると、携帯端末７は、メモリ６１内に格納されている電話番号を読み出し、読み出した電話番号と入力された情報をユーザ登録情報としてサーバ３に送信する（ステップＳ３０４，Ｓ３０５）。
【００９０】
インタフェース３２を介してユーザ登録情報を受信したサーバ３の制御部３１は、ユーザ登録情報を図示していないメモリ（例えば、ＲＡＭ）に一時的に保存し、ユーザ登録情報の入力事項のチェック（入力漏れのチェック）を行い、記入漏れがあれば、記入漏れによる再入力の指摘を携帯端末７に行い、記入漏れがなくなるまで入力事項のチェックを繰り返す。記入漏れがなければ暗証番号入力画面情報をページ情報データベース３６から読出して携帯端末７に送信する（ステップＳ３２３〜Ｓ３２６）。
【００９１】
サーバ３のステップＳ３２５の処理により、記入漏れの再入力の指摘を受けた携帯端末７は、再度ステップＳ３０４に戻り、記入漏れのあったことを画面に表示し、ユーザに登録入力画面への再入力を促す（ステップＳ３０４）。
【００９２】
一方、サーバ３のステップＳ１２６の処理により、携帯端末７は、受信した暗証番号入力画面情報を基に暗証番号入力画面を表示し、ユーザに暗証番号の入力を促す。ユーザが暗証番号を入力し実行すると、携帯端末７は、入力された暗証番号情報をサーバ３に送信する（ステップＳ３０６）。
【００９３】
インタフェース３２を介して暗証番号を受信したサーバ３の制御部３１は、ユーザ情報データベース３４に登録されていないユーザの登録番号を自動発生し、ユーザ情報データベース３４にユーザの登録番号と受信した暗証番号と先に受信したユーザ登録情報をユーザ情報データベース３４に保存する。更に、制御部３１は、カード会社ＩＤとＵＲＬアドレスとユーザの登録番号とを含むカード会社情報を携帯端末７に送信して終了する（ステップＳ３２８，Ｓ３２９）。
【００９４】
携帯端末７は、受信したカード会社ＩＤとＵＲＬアドレスとユーザの登録番号とを、携帯端末７の図示していないメモリ（例えば、ＲＡＭ）に一時的に保存する。更に、携帯端末７は、パスワードの入力画面を表示し、ユーザにパスワードを入力させる。ユーザがパスワードをキー入力すると、携帯端末７は、メモリ６１内のカード会社関連情報のパスワード欄が空欄であれば、新規とみなし、入力されたパスワードと、一時的に保存してあるカード会社ＩＤとＵＲＬアドレスとユーザの登録番号とをメモリ６１内のカード会社情報のエリアに登録して終了する（ステップＳ３０９，Ｓ３１０，Ｓ３１３）。
【００９５】
一方、ステップＳ３０９において、すでに登録されていれば、携帯端末７は、入力されたパスワードとすでに登録されているパスワードとの照合を行い、一致していれば、先に受信しメモリに一時的に保存してあるカード会社ＩＤとＵＲＬアドレスとユーザの登録番号とをメモリ６１内のカード会社情報のエリアに登録して終了する（３１１，Ｓ３１３）。
【００９６】
ステップＳ３１１において、パスワードが一致していなければ、携帯端末７は、３回まで再度パスワードの入力を促し、３回とも失敗すると、登録しないでそのまま終了する（ステップＳ３１２）。
【００９７】
次に、ユーザ登録が済み、クレジット決済サービスを利用したショッピングをする場合、ユーザは、購入する品物をレジに持っていき、携帯端末７のメニュー画面から、例えば、「クレジット決済サービス」でかつ「購入」をキー操作により選択すると、携帯端末７は、パスワード入力画面を表示する。パスワードがキー入力されると、携帯端末７は、入力されたパスワードとメモリ６１内のカード会社関連情報エリアに登録されているパスワードとの照合を行い、一致していなければ３回までの許容範囲でパスワードの再入力を促す（図１３のステップＳ４２１〜Ｓ４２３）。
【００９８】
ステップＳ４２３において、一致していれば、携帯端末７は、ユーザにオンラインショッピングか店舗購入かの選択をさせるため選択画面を表示する（ステップＳ４２４，Ｓ４２５）。
【００９９】
ユーザが店舗購入を選択すれば、携帯端末７は、レジの店舗端末４から購入情報を受信するまでスタンバイ状態になる（ステップＳ４２６）。
【０１００】
一方、店員がレジで購入された商品の値段を店舗端末４に入力すると、店舗端末４は、入力された商品の価格一覧、合計金額、店舗名、店舗端末４のアドレス等を含む購入情報を携帯端末７に向けて送信する（図５のステップＳ２０１，Ｓ２０２）。この場合の店舗名および店舗端末４のアドレスは、予め店舗端末４内に格納されており、店舗端末４のアドレスは、サーバ３からアクセスする場合に利用される。
【０１０１】
携帯端末７は、受信した購入情報を基に価格一覧および合計金額を表示する。ユーザは、表示された内容を確認し、問題なければ、例えば、表示されているＯＫボタンをキー操作により選択し実行すると、携帯端末７は、メモリ６１から登録されている全てのカード会社ＩＤを読み出しカード会社一覧として表示し、決済処理を希望するカード会社をカード会社一覧からユーザに選択させる。ユーザが表示されているカード会社ＩＤ一覧から希望するカード会社ＩＤをキー操作により選択して実行すると、携帯端末７は、選択されたカード会社ＩＤに該当するＵＲＬアドレスをＵＩＭカード１内のカード会社情報から読み出してそのＵＲＬアドレスに該当するサーバ３に携帯電話網９０１およびネットワーク９０２を介して接続し、メモリ６１内の電話番号およびカード会社情報（この場合は選択されたカード会社ＩＤと登録番号）と、受信した購入情報とをサーバ３に送信し、ユーザ登録の確認を受ける（図１３のステップＳ４２７〜Ｓ４３１）。
【０１０２】
インタフェース３２を介して携帯端末７から電話番号とカード会社情報と購入情報とを受信したサーバ３の制御部３１は、一時的に図示していないメモリに保存し、受信した登録番号と電話番号とがデータベース３４に登録されているかを、登録番号をキーとして検索（全て一致するかをチェック）し、登録されていれば、ページ情報データベース３６から暗証番号入力画面情報を読み出して携帯端末７に送信する（図７のステップＳ２５１〜Ｓ２５３）。なお、オペレータ関連情報全てチェック対象としたが、オペレータ関連情報のうち１つでも良い。
【０１０３】
携帯端末７は、受信した暗証番号入力画面情報を基に暗証番号入力画面を表示する。ユーザが暗証番号をキー入力すると、携帯端末７は、入力された暗証番号をサーバ３に送信する（図１３のステップＳ４３２，Ｓ４３３）。
【０１０４】
インタフェース３２を介して暗証番号を受信したサーバ３の制御部３１は、先に受信した登録番号をベースにユーザ情報データベース３４を検索し、一致した登録番号に該当する暗証番号と受信した暗証番号との照合を行う。一致しなければ、制御部３１は、３回の入力許可範囲で暗証番号の再入力を依頼することで照合が一致するまでＳ２５３〜Ｓ２５５を繰り返す（図７のステップＳ２５３〜Ｓ２５５，Ｓ２５８）。
【０１０５】
ステップＳ２５５において、一致すれば（照合が取れれば）、サーバ３の制御部３１は、先に受信した購入情報と登録番号とを基に、ユーザ情報データベース３４に格納されており登録番号に対応するクレジット番号により決済処理を行う。更に、制御部３１は、完了通知を携帯端末７に送信すると共に、先に受信した購入情報の店舗端末４のアドレス情報を基にネットワーク９０２を介して店舗端末４にも完了通知を送信して、終了する（ステップＳ２５６，Ｓ２５７）。なお、この場合、制御部３１は、ネットワーク９０２（インターネット）を介して店舗のサーバに完了通知を送信し、その店舗のサーバから専用回線（または電話回線、またはＬＡＮ）で店舗端末４に完了通知を送信させるようにしても良い。
【０１０６】
ステップＳ２５８において、３回目の照合不一致であれば、暗証番号の否認通知を携帯端末７に送信すると共に、先に受信した購入情報の店舗端末のアドレス情報を基に店舗端末４にも暗証番号の否認通知を送信して、終了する（ステップＳ２５９）。
【０１０７】
一方、ステップＳ２０４において、サーバ３から完了通知を受信すれば、店舗端末４は、レシートを発行して終了する。サーバ３から不在通知情報を受信すれば、店舗端末４は、受信した不在通知を表示して終了する。サーバ３から暗証番号の否認通知情報を受信すれば、店舗端末４は、受信した否認通知を表示して終了する（図５のステップＳ２０６，Ｓ２０７，Ｓ２０５）。
【０１０８】
一方、ステップＳ４３４において、サーバ３から完了通知を受信すると、携帯端末７は、完了通知を表示して終了する。サーバ３から暗証番号の否認通知を受信すると、携帯端末７は、否認通知を表示して終了する（図１３のステップＳ４３５，Ｓ４３６）。
【０１０９】
また、ステップＳ４３１において、サーバ３から不在通知を受信すると、携帯端末７は、不在通知を表示して終了する（ステップＳ４３７）。
【０１１０】
次にユーザがオンラインショッピングでクレジット決済サービスを受ける場合の第２の実施の形態の動作について上記の店舗購入と違う点を中心に説明する。
【０１１１】
図１３のステップＳ４２５において、ユーザが携帯端末７に表示された選択画面からオンラインショッピングを選択すると、携帯端末７は、オンラインショッピングのサイトを選択させる画面を表示する。ユーザは、選択画面から希望するサイトである店舗サーバ６に接続し、更に画面操作により次から次へと表示される表示画面上の指示に従って、品物を購入すると、店舗サーバ６は、携帯端末７に送信する。購入情報を受信した携帯端末７は、店舗サーバ６から送信された購入情報を表示する（図１３のステップＳ４４１，Ｓ４４２）。
【０１１２】
ユーザが表示された内容を確認し、問題なければ、ＯＫボタンを選択し、実行すると、ステップＳ４２９にジャンプし、それ以降の図１３および図７の動作は、店舗購入時と同じ動作を行うため、説明を省略する。なお、この場合の図７のステップＳ２５７での完了通知およびステップＳ２５９での否認通知の送信先は、オンラインショッピングのサービスを行っている店舗サーバ６である。
【０１１３】
上記の第２の実施の形態の説明で、メモリ７１が予め実装されているとして説明したが、メモリカードとして携帯端末７に挿抜できる構造（例えば、コネクタによる実装）になっていても良い。
【０１１４】
上記の第２の実施の形態の説明で、インターネット（携帯電話網９０１、ネットワーク９０２を介する）で登録することで、登録番号を携帯端末７のメモリ７１に登録するようにしたが、例えば、郵送により、クレジット番号、携帯電話番号等のユーザ登録情報を送ることによりカード会社にユーザ登録し、カード会社から登録番号と登録番号に対する暗証番号と、ＵＲＬアドレスを電子メール、郵送等で受け取り、携帯電話２のメニュー画面に従って、メモリ７１に登録するようにしても良い。この場合、ユーザ登録情報を受け取ったカード会社は、サーバ３のユーザ情報データベース３４に新たに発生した登録番号のユーザ情報として、仮に発生した暗証番号と受け取ったユーザ登録情報を登録する。
【０１１５】
以上の第１および第２の実施の形態で説明したように、携帯端末２に搭載されているＵＩＭカード１または携帯端末７のメモリ７１には、クレジット会社が発行するクレジットカード番号、銀行が発行する口座番号（キャッシュカード番号、デビットカード番号を含む）の代わりにクレジット決済サービスの登録番号が登録されているため、クレジット会社が発行するクレジットカード番号または／および銀行が発行する口座番号およびそれに対応した暗証番号を、店舗およびオンラインショッピングサービスを行っている業者に知られないし、携帯電話を落としたとしても知られない。
【０１１６】
また、以上の第１および第２の実施の形態で説明したように、クレジット決済サービスの登録番号（クレジット決済サービスのユーザＩＤ）に対応した暗証番号を携帯端末２に表示される画面から入力するようにしているため、その暗証番号を、店舗先およびオンラインショッピングサービスを行っている業者に知られないし、携帯電話を落としたとしても第３者に知られない。
【０１１７】
また、以上の第１および第２の実施の形態で説明したように、サーバ３が、クレジット決済サービスの登録番号で管理し、その登録番号に対応する暗証番号および携帯端末の電話番号に基づいてクレジット番号（クレジットカード番号、口座番号、キャッシュカード番号）を管理するようにし、かつ携帯端末２に対してショッピングに伴う取引情報を自サーバに送信させるようにしているため、オンラインサービスおよび店舗先の両方に対応できる。
【０１１８】
【発明の効果】
以上説明したように、本発明は、携帯端末に搭載されているＩＣカードまたは携帯端末内の不揮発性メモリには、クレジット会社が発行するクレジットカード番号、または／および銀行が発行する口座番号（キャッシュカード番号、デビットカード番号を含む）の代わりにクレジット決済サービスの登録番号が登録されているため、クレジット会社が発行するクレジットカード番号または／および銀行が発行する口座番号およびそれに対応した暗証番号を、店舗およびオンラインショッピングサービスを行っている事業者に知られないし、携帯電話を落としたとしても知られないという効果がある。
【０１１９】
また、以上説明したように、本発明は、クレジット決済サービスの登録番号（クレジット決済サービスのユーザＩＤ）に対応した暗証番号を携帯端末に表示される画面から入力するようにしているため、その暗証番号を、店舗先およびオンラインショッピングサービスを行っている事業者に知られないし、携帯電話を落としたとしても第３者に知られないという効果がある。
【０１２０】
また、以上説明したように、本発明は、クレジット決済サービスを行うサーバが、クレジット決済サービスの登録番号で管理し、その登録番号に対応する暗証番号および携帯端末の電話番号に基づいてクレジット番号（クレジットカード番号、口座番号、キャッシュカード番号）を管理するようにし、かつ携帯端末に対してショッピングに伴う取引情報を携帯端末から自サーバに送信させるようにしているため、このサーバがオンラインサービスおよび店舗先の両方に対応できるという効果がある。
【図面の簡単な説明】
【図１】本発明の第１の実施の形態のシステム構成の一例を示すブロック図である。
【図２】図１のＵＩＭカード内のオペレータ関連情報の構成の概略の一例を示す構成概略図である。
【図３】図１のＵＩＭカード内のカード会社情報の構成の概略の一例を示す構成概略図である。
【図４】図１の携帯端末からサーバにクレジット決済サービスのユーザ登録を行う場合の携帯端末およびサーバの動作の一例を示すフローチャートである。
【図５】図１または図９の携帯端末がクレジット決済サービスを利用した場合の店舗端末の動作の一例を示すフローチャートである。
【図６】図１の携帯端末がクレジット決済サービスを利用した場合の携帯端末の動作の一例を示すフローチャートである。
【図７】図１または図９の携帯端末がクレジット決済サービスを利用した場合のサーバの動作の一例を示すフローチャートである。
【図８】図１または図９の携帯端末の画面に購入時表示された購入情報の一例を示す概略図である。
【図９】本発明の第２の実施の形態のシステム構成の一例を示すブロック図である。
【図１０】図９のメモリ内の携帯電話番号エリアの一例を示す構成概略図である。
【図１１】図９のメモリ内のカード会社情報エリアの構成の概略の一例を示す構成概略図である。
【図１２】図９の携帯端末からサーバにクレジット決済サービスのユーザ登録を行う場合の携帯端末およびサーバの動作の一例を示すフローチャートである。
【図１３】図９の携帯端末がクレジット決済サービスを利用した場合の携帯端末の動作の一例を示すフローチャートである。
【図１４】従来技術の構成を示すブロック図である。
【符号の説明】
１    ＵＩＭカード
２，７，８１    携帯端末
３    サーバ
４，８３    店舗端末
５    カード管理サーバ
６    店舗サーバ
３１    制御部
３２    インタフェース
３３    記憶部
３４    ユーザ情報データベース
３５    決済情報データベース
３６    ページ情報データベース
６１    メモリ
８２    サービスセンター
８４    ＩＣカード
８５    決済サーバ
【図１】
2004199269.tif 000003
【図２】
2004199269.tif 000004
【図３】
2004199269.tif 000005
【図４】
2004199269.tif 000006
【図５】
2004199269.tif 000007
【図６】
2004199269.tif 000008
【図７】
2004199269.tif 000009
【図８】
2004199269.tif 000010
【図９】
2004199269.tif 000011
【図１０】
2004199269.tif 000012
【図１１】
2004199269.tif 000013
【図１２】
2004199269.tif 000014
【図１３】
2004199269.tif 000015
【図１４】
2004199269.tif 000016